(57)【特許請求の範囲】
【請求項１】
参照信号通信方法であって、
第１帯域幅の位相追跡参照信号（ＰＴＲＳ）周波数ドメイン密度に対する比が非整数であるとき、前記ＰＴＲＳの周波数ドメイン位置のリソースブロックオフセットを、前記ＰＴＲＳの周波数ドメイン密度、端末装置の識別子、及び第１帯域幅に基づき決定するステップであって、前記第１帯域幅は前記端末装置のためにネットワーク装置によりスケジューリングされた帯域幅である、ステップと、
前記ＰＴＲＳの前記周波数ドメイン位置の前記リソースブロックオフセットに基づき、前記ＰＴＲＳを送信又は受信するステップと、
を含み、
前記ＰＴＲＳの前記周波数ドメイン位置の前記リソースブロックオフセット、前記ＰＴＲＳの前記周波数ドメイン密度、前記第１帯域幅、及び前記端末装置の前記識別子は、以下の関係を満たし：
Δｆ＝ＩＤＵＥｍｏｄ（ＢＷ１ｍｏｄＦＤｓｔｅｐ）、ここで、
ＦＤｓｔｅｐは前記ＰＴＲＳの前記周波数ドメイン密度であり、ＢＷ１は前記第１帯域幅であり、ＩＤＵＥは前記端末装置の前記識別子であり、Δｆは前記ＰＴＲＳの前記周波数ドメイン位置の前記リソースブロックオフセットである、通信方法。
【請求項２】
前記第１帯域幅の前記ＰＴＲＳの前記周波数ドメイン密度に対する比が整数であるとき、前記ＰＴＲＳの前記周波数ドメイン密度及び前記端末装置の前記識別子に基づき、前記ＰＴＲＳの前記周波数ドメイン位置の前記リソースブロックオフセットを決定するステップを更に含み、
前記ＰＴＲＳの前記周波数ドメイン位置の前記リソースブロックオフセット、前記ＰＴＲＳの前記周波数ドメイン密度、及び前記端末装置の前記識別子は、以下の関係を満たし：
Δｆ＝ＩＤＵＥｍｏｄＦＤｓｔｅｐ、ここで、
ＦＤｓｔｅｐは前記ＰＴＲＳの前記周波数ドメイン密度であり、ＩＤＵＥは前記端末装置の前記識別子であり、Δｆは前記ＰＴＲＳの前記周波数ドメイン位置の前記リソースブロックオフセットである、請求項１に記載の通信方法。
【請求項３】
前記決定するステップの前に、
前記ＰＴＲＳの構成情報に従い、前記ＰＴＲＳの前記周波数ドメイン密度を決定するステップであって、前記構成情報は、前記ＰＴＲＳの前記周波数ドメイン密度と前記第１帯域幅との間のマッピング関係を含む、ステップ、
を更に含む請求項１に記載の通信方法。
【請求項４】
参照信号通信機器であって、
第１帯域幅の位相追跡参照信号（ＰＴＲＳ）の周波数ドメイン密度に対する比が非整数であるとき、前記ＰＴＲＳの周波数ドメイン位置のリソースブロックオフセットを、前記ＰＴＲＳの周波数ドメイン密度、端末装置の識別子、及び前記第１帯域幅に基づき決定するよう構成される処理ユニットであって、前記第１帯域幅は前記端末装置のためにネットワーク装置によりスケジューリングされた帯域幅である、処理ユニットと、
前記ＰＴＲＳの前記周波数ドメイン位置の前記リソースブロックオフセットに基づき、前記ＰＴＲＳを送信又は受信するよう構成される通信機ユニットと、
を含み、
前記ＰＴＲＳの前記周波数ドメイン位置の前記リソースブロックオフセット、前記ＰＴＲＳの前記周波数ドメイン密度、前記第１帯域幅、及び前記端末装置の前記識別子は、以下の関係を満たし：
Δｆ＝ＩＤＵＥｍｏｄ（ＢＷ１ｍｏｄＦＤｓｔｅｐ）、ここで、
ＦＤｓｔｅｐは前記ＰＴＲＳの前記周波数ドメイン密度であり、ＢＷ１は前記第１帯域幅であり、ＩＤＵＥは前記端末装置の前記識別子であり、Δｆは前記ＰＴＲＳの前記周波数ドメイン位置の前記リソースブロックオフセットである、通信機器。
【請求項５】
前記処理ユニットは、
前記第１帯域幅の前記ＰＴＲＳの前記周波数ドメイン密度に対する比が整数であるとき、前記ＰＴＲＳの前記周波数ドメイン密度及び前記端末装置の前記識別子に基づき、前記ＰＴＲＳの前記周波数ドメイン位置の前記リソースブロックオフセットを決定するよう更に構成され、前記ＰＴＲＳの前記周波数ドメイン位置の前記リソースブロックオフセット、前記ＰＴＲＳの前記周波数ドメイン密度、及び前記端末装置の前記識別子は、以下の関係を満たし：
Δｆ＝ＩＤＵＥｍｏｄＦＤｓｔｅｐ、ここで、
ＦＤｓｔｅｐは前記ＰＴＲＳの前記周波数ドメイン密度であり、ＩＤＵＥは前記端末装置の前記識別子であり、Δｆは前記ＰＴＲＳの前記周波数ドメイン位置の前記リソースブロックオフセットである、請求項４に記載の通信機器。
【請求項６】
前記処理ユニットは、前記ＰＴＲＳの構成情報に従い、前記ＰＴＲＳの前記周波数ドメイン密度を決定するよう更に構成され、前記構成情報は、前記ＰＴＲＳの前記周波数ドメイン密度と前記第１帯域幅との間のマッピング関係を含む、請求項４に記載の通信機器。
【請求項７】
参照信号通信機器であって、メモリに結合されたプロセッサを含み、前記メモリは前記プロセッサによる実行のための命令を格納するよう構成され、前記命令は、前記プロセッサに請求項１乃至３のいずれか一項に記載の通信方法を実行させる命令である、参照信号通信機器。
【請求項８】
コンピュータプログラムであって、コンピュータに請求項１乃至３のいずれか一項に記載の方法を実行させる、コンピュータプログラム。
【請求項９】
プログラム命令を格納するコンピュータ可読記憶媒体であって、前記プログラム命令は、コンピュータに請求項１乃至３のいずれか一項に記載の方法を実行させる命令である、コンピュータ可読記憶媒体。
【発明の詳細な説明】
【技術分野】
【０００１】
［関連出願］
本願は、中国特許出願番号第２０１７１１１４８１３５．２号、中国特許庁に２０１７年１１月１７日出願、名称「REFERENCE  SIGNAL  TRANSMISSION  METHOD  AND  TRANSMISSION  APPARATUS」の優先権を主張する。該出願は、参照によりその全体がここに組み込まれる。
【０００２】
［技術分野］
本願は、通信分野に関し、より具体的に、通信分野における参照信号送信方法及び送信機器に関する。
【背景技術】
【０００３】
ネットワークシステムが発展するにつれて、通信レート及び通信能力に対する要件が次第に増大し、高周波数リソースに対する要件は相応して増大する。しかしながら、周波数増加は、周波数成分、つまり局所発振器のランダムなジッタにより生成される位相ノイズの増大を伴う。したがって、位相ノイズの影響は、高周波数無線通信において無視できない。通常、送信端装置は、予め知られている位相追跡参照信号（phase  tracking  reference  signal、PTRS）を送信してよく、受信端は、受信したＰＴＲＳに基づき位相ノイズを推定してよい。
【０００４】
複数の端末装置が１つのセル又はセクタ内で同じＰＴＲＳシーケンスを使用するとき、複数の端末装置が同じＰＴＲＳポートを用いてマッピングを実行するＰＴＲＳ周波数ドメイン位置は、同じである。この場合、同じ周波数ドメイン位置にマッピングされた異なるＰＴＲＳが互いに干渉し、それにより位相ノイズ推定に影響する。したがって、ＰＴＲＳ干渉をどのようにランダム化するかが、解決されるべき緊急な問題になる。
【発明の概要】
【０００５】
本願は、ＰＴＲＳ干渉をランダム化するのを助けるために、参照信号送信方法及び送信機器を提供する。
【０００６】
第１の態様によると、本願は、参照信号送信方法を提供する。当該方法は、
ネットワーク装置により、端末装置の位相追跡参照信号（ＰＴＲＳ）の周波数ドメイン位置のリソースブロックオフセットを、前記端末装置のＰＴＲＳ情報、前記端末装置の識別子、及び第１帯域幅に基づき決定するステップであって、前記ＰＴＲＳ情報は、前記ＰＴＲＳの周波数ドメイン密度又は周波数ドメイン間隔を含み、前記第１帯域幅は前記端末装置のために前記ネットワーク装置によりスケジューリングされた帯域幅である、ステップと、
前記ネットワーク装置により、前記ＰＴＲＳの前記周波数ドメイン位置の前記リソースブロックオフセットに基づき、前記端末装置と共に前記ＰＴＲＳの送信を実行するステップと、を含む。
【０００７】
本願の本実施形態で提供される参照信号送信方法によると、ＰＴＲＳ干渉のランダム化を助けるために、端末装置のＰＴＲＳの周波数ドメイン位置のリソースブロックオフセットは、端末装置に関連する情報を用いて決定され、それによりＰＴＲＳに基づく位相ノイズ推定の性能を安定化させる。
【０００８】
理解されるべきことに、ネットワーク装置は、ＰＴＲＳに基づき位相ノイズを推定してよく、又は位相補償参照信号（phase  compensation  reference  signal、PCRS）に基づき位相ノイズを推定してよい。記載の一貫性のために、ＰＴＲＳ及びＰＣＲＳは、本願の本実施形態では集合的にＰＴＲＳと呼ばれ、これは本願の本実施形態において限定されない。
【０００９】
更に理解されるべきことに、ＰＴＲＳの周波数ドメイン密度（周波数ドメイン間隔）ｎは、ＰＴＲＳシンボルがｎ個のリソースブロック（resource  block、RB）毎に１つにマッピングされることを意味し得る。ｎの値は、例えば、１、２、４、８、又は１６であってよい。
【００１０】
更に理解されるべきことに、本願の本実施形態におけるＰＴＲＳ情報は、周波数ドメイン密度又は周波数ドメイン間隔を含む。説明を容易にするために、本願の本実施形態では、周波数ドメイン密度のみが、ＰＴＲＳ情報を説明するための一例として使用される。しかしながら、ＰＴＲＳ情報が周波数ドメイン間隔である場合も、本願の本実施形態の保護範囲内に含まれる。
【００１１】
任意で、端末装置のＰＴＲＳの周波数ドメイン位置のリソースブロックオフセットを、端末装置のＰＴＲＳ情報、端末装置の識別子、及び第１帯域幅に基づき決定する前に、ネットワーク装置は、ＰＴＲＳ情報、端末装置の識別子、及び第１帯域幅を取得してよい。
【００１２】
任意で、ネットワーク装置は、端末装置の識別子を複数の方法で取得してよく、これは本願の本実施形態において限定されない。
【００１３】
任意的実施形態では、ネットワーク装置のネットワークにアクセスすることを要求するとき、端末装置は、ネットワーク装置へアクセス要求を送信してよい。アクセス要求は、端末装置の識別子を伝達する。ネットワーク装置は、端末装置により送信されたアクセス要求を受信し、端末装置の識別子をアクセス要求から取得してよい。
【００１４】
別の任意的実施形態では、ネットワーク装置からスケジューリング情報を要求するとき、端末装置は、ネットワーク装置へスケジューリング要求を送信してよい。スケジューリング要求は、端末装置の識別子を伝達する。ネットワーク装置は、端末装置からスケジューリング要求を受信し、端末装置の識別子をスケジューリング要求から取得してよい。
【００１５】
任意で、端末装置の識別子は、例えば以下の識別子：セル無線ネットワーク一時識別子（cell  radio  network  temporary  identifier、C−RNTI）、ランダムアクセス無線ネットワーク一時識別子（random  access  radio  network  temporary  identifier、RA−RNTI）、一時Ｃ−ＲＮＴＩ、及び送信電力制御無線ネットワーク一時識別子（transmit  power  control  radio  network  temporary  identifier、TPC−RNTI）、のうちの少なくとも１つを含んでよく、これは本願の本実施形態において限定されない。
【００１６】
任意で、ネットワーク装置は、第１帯域幅を複数の方法で取得してよく、これは本願の本実施形態において限定されない。
【００１７】
任意的実施形態では、ネットワーク装置は、端末装置のために第１帯域幅を構成してよい。
【００１８】
任意で、ネットワーク装置は、端末装置のＰＴＲＳ情報を複数の方法で取得してよく、これは本願の本実施形態において限定されない。
【００１９】
任意的実施形態では、ネットワーク装置は、端末装置のためにＰＴＲＳ情報を構成してよい。
【００２０】
別の任意的実施形態では、ネットワーク装置は、第１帯域幅及び第１マッピング関係に基づき、端末装置のＰＴＲＳ情報を決定してよい。第１マッピング関係は、第１帯域幅とＰＴＲＳ情報との間の対応を示すために使用される。
【００２１】
任意で、ネットワーク装置及び端末装置は、第１マッピング関係について予め合意してよく、又はネットワーク装置は、上位レイヤシグナリングを用いて端末装置のために第１マッピング関係を構成してよい。
【００２２】
任意で、ネットワーク装置は、ＰＴＲＳの周波数ドメイン位置のリソースブロックオフセットを、ＰＴＲＳ情報、端末装置の識別子、及び第１帯域幅のうちの少なくとも１つに基づき決定してよく、これは本願の本実施形態において限定されない。
【００２３】
任意的実施形態では、ネットワーク装置は、ＰＴＲＳの周波数ドメイン位置のリソースブロックオフセットを、ＰＴＲＳ情報及び端末装置の識別子に基づき決定してよい。
【００２４】
別の任意的実施形態では、ネットワーク装置は、ＰＴＲＳの周波数ドメイン位置のリソースブロックオフセットを、ＰＴＲＳ情報、端末装置の識別子、及び第１帯域幅に基づき決定してよい。
【００２５】
可能な実装では、ネットワーク装置により、端末装置のＰＴＲＳの周波数ドメイン位置のリソースブロックオフセットを、前記端末装置のＰＴＲＳ情報、前記端末装置の識別子、及び第１帯域幅に基づき決定する前記ステップは、前記第１帯域幅の前記ＰＴＲＳの前記周波数ドメイン密度に対する比が第１プリセット値以下である、又は前記第１帯域幅の前記ＰＴＲＳの前記周波数ドメイン間隔に対する比が第１プリセット値以下であるとき、前記ネットワーク装置により、前記ＰＴＲＳの前記周波数ドメイン位置の前記リソースブロックオフセットを、前記端末装置の前記ＰＴＲＳ情報、前記端末装置の前記識別子、及び前記第１帯域幅に基づき決定するステップを含む。
【００２６】
任意で、ネットワーク装置がリソースブロックオフセットを、ＰＴＲＳ情報、端末装置の識別子、及び第１帯域幅に基づき決定することは、第２条件が満たされるとき、ネットワーク装置が、リソースブロックオフセットを、ＰＴＲＳ情報、端末装置の識別子、及び第１帯域幅に基づき決定してよいことであってよい。
【００２７】
任意で、第２条件は、以下の条件のうちの少なくとも１つであってよい。
【００２８】
（１）第１帯域幅の、ＰＴＲＳの周波数ドメイン密度に対する比が第１閾以下である。
【００３０】
（２）第１帯域幅の、ＰＴＲＳの周波数ドメイン密度に対する比が非整数である。
【００３１】
（３）ＰＴＲＳ情報及び第１帯域幅の条件下でマッピング可能なＰＴＲＳの最大数が、第３閾以下である。
【００３２】
（４）ＰＴＲＳ情報及び第１帯域幅の条件下でマッピング可能なＰＴＲＳの最小数が、第４閾以下である。
（５）ＰＴＲＳの最小数とＰＴＲＳの最大数との比が第２閾以下である。
【００３３】
（６）第１帯域幅が、第５閾以下である。
【００３４】
任意で、第１閾〜第５閾のうちの１つ以上は、ネットワーク装置及び端末装置により予め合意されてよく、又は第１シグナリングを用いてネットワーク装置により端末装置のために構成されてよい。これは、本願の本実施形態において限定されない。
【００３５】
任意で、第１シグナリングは、無線リソース制御（radio  resource  control、RRC）シグナリング、媒体アクセス制御（media  access  control、MAC）制御要素（control  element、CE）シグナリング、又はダウンリンク制御情報（downlink  control  information、DCI）シグナリングであってよく、これは本願の本実施形態において限定されない。
【００３６】
任意で、ＰＴＲＳの周波数ドメイン位置のリソースブロックオフセットは、ＰＴＲＳの周波数ドメイン位置のオフセットがＲＢで測られること、言い換えると、ＰＴＲＳの周波数ドメイン位置のオフセットがＲＢレベルのオフセットであることを意味し得る。
【００３７】
理解されるべきことに、ＰＴＲＳの周波数ドメイン位置のリソースブロックオフセットは、関連ＲＢにおけるＰＴＲＳの周波数ドメイン位置のリソースブロックオフセットとして理解されてよい。
【００３８】
更に理解されるべきことに、ＰＴＲＳの周波数ドメイン位置は、ＰＴＲＳのシーケンスの中のＰＴＲＳシンボルがマッピングされる周波数ドメイン位置として理解されてよい。
【００３９】
更に理解されるべきことに、本願の本実施形態におけるＰＴＲＳの数は、ＰＴＲＳシンボルの数として理解されてよい。
【００４０】
更に理解されるべきことに、ネットワーク装置が、Ｋ個の物理リソースブロック（physical  resource  block、PRB）を端末装置に割り当てるとき、シーケンス番号（又は番号若しくはインデックス）が０、１、．．．、及びＫ−１である関連ＲＢは、Ｋ個のＰＲＢのシーケンス番号の昇順で取得されてよい。ここで、Ｋは０より大きい整数である。例えば、ネットワーク装置は、シーケンス番号が０、１、６、及び７の４個のＰＲＢを端末装置に割り当て、シーケンス番号が０、１、２、及び３の４個の関連ＲＢは、シーケンス番号の昇順に取得される。
【００４１】
任意で、Ｋ個の物理リソースブロックは、連続又は不連続であってよく、これは本願の本実施形態において限定されない。
【００４２】
更に理解されるべきことに、ＰＴＲＳの周波数ドメイン密度Ｎは、ＰＴＲＳの周波数ドメイン間隔がＮ個の関連ＲＢであることを意味してよい。この場合、ＰＴＲＳのシーケンスの中のＰＴＲＳシンボル０は、関連ＲＢ  ０からＮ１のうちの１つに対応し、ＰＴＲＳシンボル１は、関連ＲＢ  Ｎから２＊Ｎ１のうちの１つに対応し、以下同様に、ＰＴＲＳのシーケンスの中の各ＰＴＲＳシンボルに対応する関連ＲＢを得る。
【００４３】
具体的に、関連ＲＢの中のＰＴＲＳのシーケンス内のＰＴＲＳシンボルＭの周波数ドメイン位置は、関連ＲＢ  Δｆ＋Ｍ＊Ｎであってよい。ここで、Δｆは周波数ドメイン位置のリソースブロックオフセットを示し、ＮはＰＴＲＳの周波数ドメイン密度を示し、Ｍは０以上の整数である。
【００４４】
可能な実装では、ネットワーク装置により、端末装置のＰＴＲＳの周波数ドメイン位置のリソースブロックオフセットを、前記端末装置のＰＴＲＳ情報、前記端末装置の識別子、及び第１帯域幅に基づき決定する前記ステップは、前記ネットワーク装置により、前記ＰＴＲＳ情報に基づき前記第１帯域幅に対してモジュロ処理を実行して、第２帯域幅を得るステップと、前記ネットワーク装置により、前記ＰＴＲＳの前記周波数ドメイン位置の前記リソースブロックオフセットを、前記第２帯域幅及び前記端末装置の前記識別子に基づき決定するステップと、を含む。
【００４５】
理解すべきことに、端末装置の識別子に基づく端末装置のＰＴＲＳのリソースブロックオフセットの決定中に、端末装置の識別子は、モジュロ方法を用いてＰＴＲＳのリソースブロックオフセットにマッピングされてよく、端末装置のためにネットワーク装置によりスケジューリングされた帯域幅（第１帯域幅）の、ＰＴＲＳの周波数ドメイン密度に対する比は、比較的小さいとき、残りの帯域幅（第２帯域幅）は、端末装置の識別子をＰＴＲＳのリソースブロックオフセットにマッピングするモジュロ式の中の元の周波数ドメイン密度を置換してよい（ＵＥ−ＩＤをＲＢレベルオフセットにマッピングするためのモジュロ演算をサポートする。スケジューリングされたＢＷのＰＴＲＳ周波数密度に対する比が小さい場合、モジュロＢＷは、ＵＥ−ＩＤをＲＢレベルオフセットにマッピングするためにモジュロの中の周波数密度を置換する。）。
【００４６】
本願の本実施形態において提供される参照信号送信方法によると、ネットワーク装置は、ＰＴＲＳの周波数ドメイン位置のリソースブロックオフセットを、第２帯域幅及び端末装置の識別子に基づき決定する。その結果、第１帯域幅内にマッピングされるＰＴＲＳの数は、周波数ドメインオフセットが０であるときにマッピングされるＰＴＲＳの数と同じである。この方法では、以下の問題が回避できる。周波数ドメインオフセットが比較的大きいとき、第１帯域幅内にマッピングされるＰＴＲＳの数は、有意に減少するか又は０である。したがって、ＰＴＲＳは、端末装置とネットワーク装置との間で第１帯域幅内で送信できず、位相ノイズがＰＴＲＳに基づき推定できない。
【００４７】
可能な実装では、送信方法は、前記第１帯域幅の前記ＰＴＲＳの前記周波数ドメイン密度に対する前記比が第２プリセット値より大きい、又は前記第１帯域幅の前記ＰＴＲＳの前記周波数ドメイン間隔に対する前記比が第２プリセット値より大きいとき、前記ネットワーク装置により、前記ＰＴＲＳの前記周波数ドメイン位置の前記リソースブロックオフセットを、前記ＰＴＲＳ情報及び前記端末装置の前記識別子に基づき決定するステップ、を更に含む。
【００４８】
理解されるべきことに、第２プリセット値は第１プリセット値と同じであってよい。
【００４９】
任意で、ネットワーク装置がＰＴＲＳの周波数ドメイン位置のリソースブロックオフセットを、ＰＴＲＳ情報及び端末装置の識別子に基づき決定することは、第１条件が満たされるとき、ネットワーク装置が、ＰＴＲＳの周波数ドメイン位置のリソースブロックオフセットを、ＰＴＲＳ情報及び端末装置の識別子に基づき決定することであってよい。
【００５０】
任意で、第１条件は、以下の条件のうちの少なくとも１つであってよい。
【００５１】
（１）第１帯域幅の、ＰＴＲＳの周波数ドメイン密度に対する比が第１閾より大きい。
【００５３】
（２）第１帯域幅の、ＰＴＲＳの周波数ドメイン密度に対する比が整数である。
【００５４】
（３）ＰＴＲＳ情報及び第１帯域幅の条件下でマッピング可能なＰＴＲＳの最大数が、第３閾より大きい。
【００５５】
（４）ＰＴＲＳ情報及び第１帯域幅の条件下でマッピング可能なＰＴＲＳの最小数が、第４閾より大きい。
（５）ＰＴＲＳの最小数とＰＴＲＳの最大数との比が第２閾より大きい。
【００５６】
（６）第１帯域幅が、第５閾より大きい。
【００５７】
任意で、第１閾〜第５閾のうちの１つ以上は、ネットワーク装置及び端末装置により予め合意されてよく、又は第１シグナリングを用いてネットワーク装置により端末装置のために構成されてよい。これは、本願の本実施形態において限定されない。
【００５８】
任意で、第１シグナリングは、ＲＲＣシグナリング、ＭＡＣ  ＣＥシグナリング、又はＤＣＩシグナリングであってよく、これは本願の本実施形態において限定されない。
【００５９】
第２の態様によると、本願は、参照信号送信方法を提供する。当該方法は、
端末装置により、位相追跡参照信号（ＰＴＲＳ）の周波数ドメイン位置のリソースブロックオフセットを、ＰＴＲＳ情報、前記端末装置の識別子、及び第１帯域幅に基づき決定するステップであって、前記ＰＴＲＳ情報は、前記ＰＴＲＳの周波数ドメイン密度又は周波数ドメイン間隔を含み、前記第１帯域幅は前記端末装置のためにネットワーク装置によりスケジューリングされた帯域幅である、ステップと、
前記端末装置により、前記ＰＴＲＳの前記周波数ドメイン位置の前記リソースブロックオフセットに基づき、前記ネットワーク装置と共に前記ＰＴＲＳの送信を実行するステップと、を含む。
【００６０】
本願の本実施形態で提供される参照信号送信方法によると、ＰＴＲＳ干渉のランダム化を助けるために、端末装置のＰＴＲＳの周波数ドメイン位置のリソースブロックオフセットは、端末装置に関連する情報を用いて決定され、それによりＰＴＲＳに基づく位相ノイズ推定の性能を安定化させる。
【００６１】
任意で、ＰＴＲＳの周波数ドメイン位置のリソースブロックオフセットを、ＰＴＲＳ情報、端末装置の識別子、及び第１帯域幅に基づき決定する前に、端末装置は、ＰＴＲＳ情報、端末装置の識別子、及び第１帯域幅を取得してよい。
【００６２】
任意で、端末装置の識別子は、例えば以下の識別子：セル無線ネットワーク一時識別子（cell  radio  network  temporary  identifier、C−RNTI）、ランダムアクセス無線ネットワーク一時識別子（random  access  radio  network  temporary  identifier、RA−RNTI）、一時Ｃ−ＲＮＴＩ、及び送信電力制御無線ネットワーク一時識別子（transmit  power  control  radio  network  temporary  identifier、TPC−RNTI）、のうちの少なくとも１つを含んでよく、これは本願の本実施形態において限定されない。
【００６３】
任意で、端末装置が識別子を生成してよい。
【００６４】
任意で、端末装置は、第１帯域幅を複数の方法で取得してよく、これは本願の本実施形態において限定されない。
【００６５】
任意的実施形態で、端末装置は、ネットワーク装置により送信された第１構成情報を受信し、第１帯域幅を第１構成情報から取得してよい。
【００６６】
任意で、端末装置は、端末装置のＰＴＲＳ情報を複数の方法で取得してよく、これは本願の本実施形態において限定されない。
【００６７】
任意的実施形態で、端末装置は、ネットワーク装置により送信された第２構成情報を受信し、ＰＴＲＳ情報を第２構成情報から取得してよい。
【００６８】
別の任意的実施形態では、端末装置は、ネットワーク装置により送信された第１構成情報を受信し、第１帯域幅を第１構成情報から取得し、端末装置のＰＴＲＳ情報を第１帯域幅及び第１マッピング関係に基づき決定してよい。第１マッピング関係は、第１帯域幅とＰＴＲＳ情報との間の対応を示すために使用される。
【００６９】
任意で、ネットワーク装置及び端末装置は、第１マッピング関係について予め合意してよく、又はネットワーク装置は、上位レイヤシグナリングを用いて端末装置のために第１マッピング関係を構成してよい。
【００７０】
可能な実装では、端末装置により、ＰＴＲＳの周波数ドメイン位置のリソースブロックオフセットを、ＰＴＲＳ情報、前記端末装置の識別子、及び第１帯域幅に基づき決定する前記ステップは、前記第１帯域幅の前記ＰＴＲＳの前記周波数ドメイン密度に対する比が第１プリセット値以下である、又は前記第１帯域幅の前記ＰＴＲＳの前記周波数ドメイン間隔に対する比が第１プリセット値以下であるとき、前記端末装置により、前記ＰＴＲＳの前記周波数ドメイン位置の前記リソースブロックオフセットを、前記ＰＴＲＳ情報、前記端末装置の前記識別子、及び前記第１帯域幅に基づき決定するステップを含む。
【００７１】
可能な実装では、端末装置により、ＰＴＲＳの周波数ドメイン位置のリソースブロックオフセットを、ＰＴＲＳ情報、前記端末装置の識別子、及び第１帯域幅に基づき決定する前記ステップは、前記端末装置により、前記ＰＴＲＳ情報に基づき前記第１帯域幅に対してモジュロ処理を実行して、第２帯域幅を得るステップと、前記端末装置により、前記ＰＴＲＳの前記周波数ドメイン位置の前記リソースブロックオフセットを、前記第２帯域幅及び前記端末装置の前記識別子に基づき決定するステップと、を含む。
【００７２】
可能な実装では、送信方法は、前記第１帯域幅の前記ＰＴＲＳの前記周波数ドメイン密度に対する前記比が第２プリセット値より大きい、又は前記第１帯域幅の前記ＰＴＲＳの前記周波数ドメイン間隔に対する前記比が第２プリセット値より大きいとき、前記端末装置により、前記ＰＴＲＳの前記周波数ドメイン位置の前記リソースブロックオフセットを、前記ＰＴＲＳ情報及び前記端末装置の前記識別子に基づき決定するステップ、を更に含む。
【００７３】
第３の態様によると、本願は、参照信号送信方法を提供する。当該方法は、
ネットワーク装置により、第２周波数ドメインオフセットを、第１周波数ドメインオフセット、及び第１リソースブロック内で端末装置の復調参照信号（demodulation  reference  signal、DMRS）がマッピングされるべき少なくとも１つのサブキャリアに基づき決定するステップであって、前記第１リソースブロックは、前記端末装置の第１ＰＴＲＳのマッピングされるべきリソースブロックであり、前記第１周波数ドメインオフセットは、前記第１リソースブロックから、前記第１ＰＴＲＳのマッピングされるべきリソースエレメントの周波数ドメイン位置を決定するために使用され、前記第２周波数ドメインオフセットは、前記少なくとも１つのサブキャリアから、前記第１ＰＴＲＳのマッピングされるべき周波数ドメイン位置を決定するために使用される、ステップと、
前記ネットワーク装置により、前記少なくとも１つのサブキャリアの周波数ドメイン位置及び前記第２周波数ドメインオフセットに基づき、前記第１ＰＴＲＳのマッピングされるべき前記周波数ドメイン位置を決定するステップと、
前記ネットワーク装置により、前記第１ＰＴＲＳのマッピングされるべき前記周波数ドメイン位置に基づき、前記端末装置と共に前記第１ＰＴＲＳの送信を実行するステップと、を含む。
【００７４】
本願の本実施形態において提供される参照信号送信方法によると、第１ＰＴＲＳのマッピングされるべき周波数ドメイン位置が、第２周波数ドメインオフセットに基づき、第１ＰＴＲＳに関連付けられたＤＭＲＳポートにより占有されるサブキャリアセットから決定できる。
【００７５】
理解されるべきことに、サブキャリアセット内の関連オフセット（第２周波数ドメインオフセット）が定められてよく、所与のリソースブロック（第１リソースブロック）内でＰＴＲＳのマッピングされるべきサブキャリアを示すために使用される。サブキャリアセットは、ＰＴＲＳに関連付けられたＤＭＲＳポートにより占有されるサブキャリアを含み、直流サブキャリアを含まない（関連ＤＭＲＳポートにより占有されるサブキャリアのみを含むがＤＣトーンを含まないサブキャリアセットの間で関連オフセットをサポートする）。
【００７６】
本願の本実施形態において提供される参照信号送信方法によると、ＤＣサブキャリアは第１ＰＴＲＳに関連付けられたＤＭＲＳポートにより占有されるサブキャリアセットから除去されるので、以下の問題が回避できる。第１ＰＴＲＳが、ＤＣサブキャリアの位置する周波数ドメイン位置にマッピングされ、ＰＴＲＳとＤＣサブキャリアとの間の衝突を引き起こす。
【００７７】
可能な実装では、前記第１ＰＴＲＳのマッピングされるべき前記周波数ドメイン位置及び前記端末装置の第２ＰＴＲＳのマッピングされるべき周波数ドメイン位置の両方が、前記少なくとも１つのサブキャリアの中の第１サブキャリアであるとき、前記ネットワーク装置により、前記第１ＰＴＲＳのマッピングされるべき前記周波数ドメイン位置に基づき、前記端末装置と共に前記第１ＰＴＲＳの送信を実行する前記ステップは、前記ネットワーク装置により、前記第１サブキャリアに基づき第２サブキャリアを決定するステップであって、前記第２サブキャリアは、前記第１サブキャリアから前記少なくとも１つのサブキャリアの中のサブキャリアの最小数だけ離れたサブキャリアである、ステップと、前記ネットワーク装置により、前記第２サブキャリアで、前記端末装置と共に前記第１ＰＴＲＳの送信を実行するステップと、を含む。
【００７８】
本願の本実施形態において提供される参照信号送信方法によると、第１ＰＴＲＳのマッピングされるべきリソースエレメントの周波数ドメイン位置が、第２ＰＴＲＳのマッピングされるべきリソースエレメントの周波数ドメイン位置と同じであるとき、第１ＰＴＲＳのマッピングされるべきリソースエレメントの周波数ドメイン位置又は第２ＰＴＲＳのマッピングされるべきリソースエレメントの周波数ドメイン位置は、調整されてよい。その結果、第１ＰＴＲＳ及び第２ＰＴＲＳは、ＤＭＲＳポートにより占有されるサブキャリア内で２つの異なるサブキャリアにマッピングされ、２つのサブキャリアはサブキャリアセットの中で隣接する番号又はインデックスを有する。それにより、第１ＰＴＲＳと第２ＰＴＲＳとの間の相互干渉を回避する。
【００７９】
可能な実装では、ネットワーク装置により、第２周波数ドメインオフセットを、第１周波数ドメインオフセット、及び第１リソースブロック内で端末装置のＤＭＲＳがマッピングされるべき少なくとも１つのサブキャリアに基づき決定する前記ステップの前に、前記方法は、前記ネットワーク装置により、前記端末装置の参照情報を取得するステップであって、前記参照情報は、前記端末装置の識別子及び前記端末装置のスケジューリング情報のうちの少なくとも１つを含む、ステップと、前記ネットワーク装置により、前記第１周波数ドメインオフセットを前記端末装置の前記参照情報に基づき決定するステップと、を更に含む。
【００８０】
可能な実装では、端末装置のスケジューリング情報は、以下の情報：ＤＭＲＳのスケジューリング情報、第１ＰＴＲＳのスケジューリング情報、サウンディング参照信号（sounding  reference  signal、SRS）のスケジューリング情報、及びコードワードのスケジューリング情報、のうちの少なくとも１つを含む。
【００８１】
任意で、ＤＭＲＳのスケジューリング情報は、ポート番号、ポート数、ポートパターン、リソースエレメントマッピング、シーケンススクランブリングインデックス／番号、及びＤＭＲＳのサブキャリアシーケンス番号／リソースエレメント、のうちの少なくとも１つを含んでよい。第１ＰＴＲＳのスケジューリング情報は、ポート番号、ポート数、周波数ドメイン密度、リソースエレメントマッピング、及び第１ＰＴＲＳのシーケンススクランブリングインデックス／番号、のうちの少なくとも１つを含んでよい。ＳＲＳのスケジューリング情報は、ポート番号、ポート数、ポートパターン、リソースエレメントマッピング、シーケンススクランブリングインデックス／番号、及びＳＲＳのサブキャリアシーケンス番号／リソースエレメント、のうちの少なくとも１つを含んでよい。コードワードのスケジューリング情報は、コードワードのコードワード番号及び／又はコードワード数を含んでよい。
【００８２】
第４の態様によると、本願は、参照信号送信方法を提供し、当該方法は、
端末装置により、第２周波数ドメインオフセットを、第１周波数ドメインオフセット、及び第１リソースブロック内で前記端末装置の復調参照信号（ＤＭＲＳ）がマッピングされるべき少なくとも１つのサブキャリアに基づき決定するステップであって、前記第１リソースブロックは、第１位相追跡参照信号（ＰＴＲＳ）のマッピングされるべきリソースブロックであり、前記第１周波数ドメインオフセットは、前記第１リソースブロックから、前記第１ＰＴＲＳのマッピングされるべきリソースエレメントの周波数ドメイン位置を決定するために使用され、前記第２周波数ドメインオフセットは、前記少なくとも１つのサブキャリアから、前記第１ＰＴＲＳのマッピングされるべき周波数ドメイン位置を決定するために使用される、ステップと、
前記端末装置により、前記少なくとも１つのサブキャリアの周波数ドメイン位置及び前記第２周波数ドメインオフセットに基づき、前記第１ＰＴＲＳのマッピングされるべき前記周波数ドメイン位置を決定するステップと、
前記端末装置により、前記第１ＰＴＲＳのマッピングされるべき前記周波数ドメイン位置に基づき、ネットワーク装置と共に前記第１ＰＴＲＳの送信を実行するステップと、を含む。
【００８３】
本願の本実施形態において提供される参照信号送信方法によると、第１ＰＴＲＳのマッピングされるべき周波数ドメイン位置が、第２周波数ドメインオフセットに基づき、第１ＰＴＲＳに関連付けられたＤＭＲＳポートにより占有されるサブキャリアセットから決定できる。
【００８４】
可能な実装では、少なくとも１つのサブキャリアは直流サブキャリアを含まない。
【００８５】
可能な実装では、前記第１ＰＴＲＳのマッピングされるべき前記周波数ドメイン位置及び前記端末装置の第２ＰＴＲＳのマッピングされるべき周波数ドメイン位置の両方が、前記少なくとも１つのサブキャリアの中の第１サブキャリアであるとき、前記端末装置により、前記第１ＰＴＲＳのマッピングされるべき前記周波数ドメイン位置に基づき、ネットワーク装置と共に前記第１ＰＴＲＳの送信を実行する前記ステップは、前記端末装置により、前記第１サブキャリアに基づき第２サブキャリアを決定するステップであって、前記第２サブキャリアは、前記第１サブキャリアから前記少なくとも１つのサブキャリアの中のサブキャリアの最小数だけ離れたサブキャリアである、ステップと、前記端末装置により、前記第２サブキャリアで、前記ネットワーク装置と共に前記第１ＰＴＲＳの送信を実行するステップと、を含む。
【００８６】
可能な実装では、端末装置により、第２周波数ドメインオフセットを、第１周波数ドメインオフセット、及び第１リソースブロック内で端末装置のＤＭＲＳがマッピングされるべき少なくとも１つのサブキャリアに基づき決定する前記ステップの前に、前記方法は、前記端末装置により、前記端末装置の参照情報を取得するステップであって、前記参照情報は、前記端末装置の識別子及び前記端末装置のスケジューリング情報のうちの少なくとも１つを含む、ステップと、前記端末装置により、前記第１周波数ドメインオフセットを前記端末装置の前記参照情報に基づき決定するステップと、を更に含む。
【００８７】
可能な実装では、端末装置のスケジューリング情報は、以下の情報：ＤＭＲＳのスケジューリング情報、第１ＰＴＲＳのスケジューリング情報、サウンディング参照信号（ＳＲＳ）のスケジューリング情報、及びコードワードのスケジューリング情報、のうちの少なくとも１つを含む。
【００８８】
第５の態様によると、本願は、第１の態様及び第１の態様の可能な実装のうちのいずれか１つによる送信方法を実行するよう構成される参照信号送信機器を提供する。
【００８９】
第６の態様によると、本願は、第２の態様及び第２の態様の可能な実装のうちのいずれか１つによる送信方法を実行するよう構成される参照信号送信機器を提供する。
【００９０】
第７の態様によると、本願は、第３の態様及び第３の態様の可能な実装のうちのいずれか１つによる送信方法を実行するよう構成される参照信号送信機器を提供する。
【００９１】
第８の態様によると、本願は、第４の態様及び第４の態様の可能な実装のうちのいずれか１つによる送信方法を実行するよう構成される参照信号送信機器を提供する。
【００９２】
第９の態様によると、本願は、参照信号送信機器を提供する。当該送信機器は、メモリと、プロセッサと、通信機と、前記メモリに格納され前記プロセッサ上で実行し得るコンピュータプログラムとを含み、前記コンピュータプログラムを実行すると、前記プロセッサは第１の態様及び第１の態様の可能な実装のいずれか１つによる送信方法を実行する。
【００９３】
第１０の態様によると、本願は、参照信号送信機器を提供する。当該送信機器は、メモリと、プロセッサと、通信機と、前記メモリに格納され前記プロセッサ上で実行し得るコンピュータプログラムとを含み、前記コンピュータプログラムを実行すると、前記プロセッサは第２の態様及び第２の態様の可能な実装のいずれか１つによる送信方法を実行する。
【００９４】
第１１の態様によると、本願は、参照信号送信機器を提供する。当該送信機器は、メモリと、プロセッサと、通信機と、前記メモリに格納され前記プロセッサ上で実行し得るコンピュータプログラムとを含み、前記コンピュータプログラムを実行すると、前記プロセッサは第３の態様及び第３の態様の可能な実装のいずれか１つによる送信方法を実行する。
【００９５】
第１２の態様によると、本願は、参照信号送信機器を提供する。当該送信機器は、メモリと、プロセッサと、通信機と、前記メモリに格納され前記プロセッサ上で実行し得るコンピュータプログラムとを含み、前記コンピュータプログラムを実行すると、前記プロセッサは第４の態様及び第４の態様の可能な実装のいずれか１つによる送信方法を実行する。
【００９６】
第１３の態様によると、本願は、コンピュータ可読媒体であって、コンピュータプログラムを格納するよう構成され、コンピュータプログラムは第１の態様及び第１の態様の可能な実装のうちのいずれか１つによる送信方法を実行するために使用される命令を含む、コンピュータ可読媒体を提供する。
【００９７】
第１４の態様によると、本願は、コンピュータ可読媒体であって、コンピュータプログラムを格納するよう構成され、コンピュータプログラムは第２の態様及び第２の態様の可能な実装のうちのいずれか１つによる送信方法を実行するために使用される命令を含む、コンピュータ可読媒体を提供する。
【００９８】
第１５の態様によると、本願は、コンピュータ可読媒体であって、コンピュータプログラムを格納するよう構成され、コンピュータプログラムは第３の態様及び第３の態様の可能な実装のうちのいずれか１つによる送信方法を実行するために使用される命令を含む、コンピュータ可読媒体を提供する。
【００９９】
第１６の態様によると、本願は、コンピュータ可読媒体であって、コンピュータプログラムを格納するよう構成され、コンピュータプログラムは第４の態様及び第４の態様の可能な実装のうちのいずれか１つによる送信方法を実行するために使用される命令を含む、コンピュータ可読媒体を提供する。
【０１００】
第１７の態様によると、本願は、命令を含むコンピュータプログラムプロダクトであって、当該コンピュータプログラムプロダクトがコンピュータ上で実行すると、コンピュータが第１の態様及び第１の態様の可能な実装のうちのいずれか１つによる送信方法を実行する、コンピュータプログラムプロダクトを提供する。
【０１０１】
第１８の態様によると、本願は、命令を含むコンピュータプログラムプロダクトであって、当該コンピュータプログラムプロダクトがコンピュータ上で実行すると、コンピュータが第２の態様及び第２の態様の可能な実装のうちのいずれか１つによる送信方法を実行する、コンピュータプログラムプロダクトを提供する。
【０１０２】
第１９の態様によると、本願は、命令を含むコンピュータプログラムプロダクトであって、当該コンピュータプログラムプロダクトがコンピュータ上で実行すると、コンピュータが第３の態様及び第３の態様の可能な実装のうちのいずれか１つによる送信方法を実行する、コンピュータプログラムプロダクトを提供する。
【０１０３】
第２０の態様によると、本願は、命令を含むコンピュータプログラムプロダクトであって、当該コンピュータプログラムプロダクトがコンピュータ上で実行すると、コンピュータが第４の態様及び第４の態様の可能な実装のうちのいずれか１つによる送信方法を実行する、コンピュータプログラムプロダクトを提供する。
【０１０４】
第２１の態様によると、本願は、通信チップであって、当該通信チップには命令が格納され、該命令がネットワーク装置又は端末装置上で実行すると、前記ネットワーク装置又は前記端末装置が前述の態様による方法を実行する、通信チップを提供する。
【図面の簡単な説明】
【０１０５】
【図１】本願の一実施形態による通信システムの概略ブロック図である。
【０１０６】
【図２】従来技術におけるＰＴＲＳがマッピングされる周波数ドメイン位置の概略図である。
【０１０７】
【図３】本願の一実施形態による参照信号送信方法の概略フローチャートである。
【０１０８】
【図４】本願の一実施形態による、ＰＴＲＳがマッピングされるべき関連ＲＢの周波数ドメイン位置とＰＴＲＳがマッピングされるべきＰＲＢの周波数ドメイン位置との間の関係の概略図である。
【０１０９】
【図５】本願の一実施形態による別の参照信号送信方法の概略フローチャートである。
【０１１０】
【図６】本願の一実施形態による、ＤＭＲＳがマッピングされるべきサブキャリアの周波数ドメイン位置の概略図である。
【０１１１】
【図７】本願の一実施形態による参照信号送信機器の概略ブロック図である。
【０１１２】
【図８】本願の一実施形態による別の参照信号送信機器の概略ブロック図である。
【０１１３】
【図９】本願の一実施形態による更に別の参照信号送信機器の概略ブロック図である。
【０１１４】
【図１０】本願の一実施形態によるまた別の参照信号送信機器の概略ブロック図である。
【０１１５】
【図１１】本願の一実施形態によるまた別の参照信号送信機器の概略ブロック図である。
【０１１６】
【図１２】本願の一実施形態によるまた別の参照信号送信機器の概略ブロック図である。
【０１１７】
【図１３】本願の一実施形態によるまた別の参照信号送信機器の概略ブロック図である。
【０１１８】
【図１４】本願の一実施形態によるまた別の参照信号送信機器の概略ブロック図である。
【発明を実施するための形態】
【０１１９】
以下は、添付の図面を参照して本願の技術的ソリューションを記載する。
【０１２０】
理解されるべきことに、本願の実施形態における技術的ソリューションは、グローバル・システム・フォー・モバイル・コミュニケーションズ(global  system  for  mobile  communications、GSM)、符号分割多元接続(code  division  multiple  access、CDMA)システム、広帯域符号分割多元接続(wideband  code  division  multiple  access、WCDMA)システム、汎用パケット無線サービス(general  packet  radio  service、GPRS)システム、ロングタームエボリューション(long  term  evolution、LTE)システム、ＬＴＥ周波数分割複信(frequency  division  duplex、FDD)システム、ＬＴＥ時分割複信(time  division  duplex、TDD)システム、ユニバーサル・モバイル・テレコミュニケーションズ・システム(universal  mobile  telecommunications  system、UMTS)、ワールドワイド・インターオペラビリティ・フォー・マイクロウェーブ・アクセス(worldwide  interoperability  for  microwave  access、WiMAX)通信システム、無線ローカルエリアネットワーク(wireless  local  area  network、WLAN)、又は将来の第５世代(the  fifth  Generation、５G)無線通信システム、のような種々の通信システムに適用されてよい。
【０１２１】
図１は、本願の一実施形態による通信システム１００の概略アーキテクチャ図である。図１に示されるように、通信システム１００は、少なくとも１つのネットワーク装置（図１に示されるネットワーク装置１１０）及び複数の端末装置（図１に示される端末装置１２０及び端末装置１３０）を含んでよく、少なくとも１つのネットワーク装置及び複数の端末装置は、互いに無線通信を実行してよい。
【０１２２】
任意で、ネットワーク装置は、特定地理領域に通信カバレッジを提供してよく、カバレッジ内に含まれるＵＥと通信してよい。ネットワーク装置は、ＧＳＭシステム又はＣＤＭＡシステムにおける基地通信機局（base  transceiver  station、BTS）であってよく、又はＷＣＤＭＡシステムにおけるＮｏｄｅＢ（nodeB、NB）であってよく、又はＬＴＥシステムにおける進化型ＮｏｄｅＢ（evolved  nodeB、eNB又はeNodeB）、又はクラウド無線アクセスネットワーク（cloud  radio  access  network、CRAN）における無線コントローラであってよい。代替として、ネットワーク装置は、コアネットワーク内のネットワーク装置、中継局、アクセスポイント、車載装置、ウェアラブル装置、将来の５Ｇネットワーク、ＮＲネットワーク、又は将来の進化型地上波公共移動通信ネットワーク（public  land  mobile  network、PLMN）におけるネットワーク装置、等であってよい。
【０１２３】
任意で、端末装置はモバイル又は固定であってよい。端末装置は、アクセス端末、ユーザ機器（User  Equipment、UE）、加入者ユニット、加入者局、移動局、移動体コンソール、リモート局、リモート端末、モバイル装置、ユーザ端末、端末、無線通信装置、ユーザエージェント、ユーザ機器、等であってよい。アクセス端末は、セルラ電話機、コードレス電話機、セッション開始プロトコル（Session  Initiation  Protocol、SIP）電話機、無線ローカルループ（Wireless  Local  Loop、WLL）局、パーソナルデジタルアシスタント（Personal  Digital  Assistant、PDA）、無線通信機能を備えるハンドヘルド装置、コンピューティング装置、無線モデムに接続される別の処理装置、車載装置、ウェアラブル装置、将来の５Ｇネットワーク、ＮＲネットワーク、又は将来の進化型ＰＬＭＮにおける端末装置、等であってよい。
【０１２４】
図１は、１つのネットワーク装置及び２つの端末装置を一例として示す。任意で、通信システム１００は、複数のネットワーク装置を更に含んでよく、各ネットワーク装置のカバレッジは別の数の端末装置を含んでよい。これは、本願の本実施形態において限定されない。任意で、通信システム１００は、ネットワークコントローラ及び移動性管理エンティティのような他のネットワークエンティティを更に含んでよく、これは本願の本実施形態において限定されない。
【０１２５】
理解されるべきことに、ネットワーク装置又は端末装置は、ＰＴＲＳに基づき位相ノイズを推定してよく、又は位相補償参照信号（phase  compensation  reference  signal、PCRS）に基づき位相ノイズを推定してよい。説明の一貫性のために、ＰＴＲＳ及びＰＣＲＳは、本願の本実施形態では集合的にＰＴＲＳと呼ばれ、これは本願の本実施形態において限定されない。
【０１２６】
理解されるべきことに、ＰＴＲＳの周波数ドメイン密度（周波数ドメイン間隔）ｎは、ＰＴＲＳシンボルがｎ個のリソースブロック（resource  block、RB）毎の１つにマッピングされることを意味し得る。ｎの値は、例えば、１、２、４、８、又は１６であってよい。
【０１２７】
更に理解されるべきことに、本願の本実施形態におけるＰＴＲＳ情報は、周波数ドメイン密度又は周波数ドメイン間隔を含む。説明を容易にするために、本願の本実施形態では、周波数ドメイン密度のみが、ＰＴＲＳ情報を説明するための一例として使用される。しかしながら、ＰＴＲＳ情報が周波数ドメイン間隔である場合も、本願の本実施形態の保護範囲内に含まれる。
【０１２８】
従来技術では、ネットワーク装置及び端末装置は、ポート６０及び／又はポート６１を用いてＰＴＲＳを送信してよい。ＰＴＲＳの周波数ドメイン位置の、ポート６０に対応するオフセットは２３サブキャリアであり、ＰＴＲＳの周波数ドメイン位置の、ポート６１に対応するオフセットは２４サブキャリアである。
【０１２９】
例えば、図２に示されるように、ＰＴＲＳの周波数ドメイン密度が４であり且つ各ＲＢが１２個のサブキャリアを含むとき、ＰＴＲＳの周波数ドメイン間隔は４ＲＢ（４８サブキャリア）である。この場合、ネットワーク装置及び端末装置がポート６０を用いてＰＴＲＳを送信するとき、ＰＴＲＳは、シーケンス番号が２３、２３＋１＊４８、２３＋２＊４８、．．．、及び２３＋ｍ＊４８であるサブキャリアに連続的にマッピングされ、ネットワーク装置及び端末装置がポート６１を用いてＰＴＲＳを送信するとき、ＰＴＲＳは、シーケンス番号が２４、２４＋１＊４８、２４＋２＊４８、．．．、及び２４＋ｍ＊４８であるサブキャリアに連続的にマッピングされ、ここでｍは０以上の整数である。
【０１３０】
従来技術では、１つのセル／セクタ内の第１端末装置及び第２端末装置のＰＴＲＳシーケンスが同じであり、且つ第１端末装置及び第２端末装置の両方が同じポートを用いてＰＴＲＳを送信するとき、第１端末装置のＰＴＲＳがマッピングされる周波数ドメイン位置は、第２端末装置のＰＴＲＳがマッピングされる周波数ドメイン位置と一致する。この場合、同じサブキャリア上で第１端末装置及び第２端末装置により受信されるＰＴＲＳ信号は、互いに干渉する。したがって、ＰＴＲＳに基づく位相ノイズ推定の性能は不安定であり、各端末装置のＰＴＲＳに基づく位相ノイズ推定の性能を安定化させるために、ＰＴＲＳ干渉がランダム化される必要がある。
【０１３１】
本願の実施形態で提供される参照信号送信方法によると、ネットワーク装置は、ＰＴＲＳの周波数ドメイン位置のリソースブロックオフセットを、端末装置のＰＴＲＳ情報、端末装置の識別子、及び第１帯域幅に基づき決定し、ここでＰＴＲＳ情報はＰＴＲＳの周波数ドメイン密度又は周波数ドメイン間隔を含み、第１帯域幅は端末装置のためにネットワーク装置によりスケジューリングされた帯域幅であり、ネットワーク装置はＰＴＲＳの周波数ドメイン位置のリソースブロックオフセットに基づき、端末装置と共にＰＴＲＳの送信を実行する。本願の実施形態で提供される参照信号送信方法によると、ＰＴＲＳ干渉のランダム化を助けるために、端末装置のＰＴＲＳの周波数ドメイン位置のリソースブロックオフセットは、端末装置に関連する情報を用いて決定され、それによりＰＴＲＳに基づく位相ノイズ推定の性能を安定化させる。
【０１３２】
図３は、本願の一実施形態による参照信号送信方法３００の概略フローチャートである。送信方法３００は、図１に示される通信システム１００に適用されてよい。
【０１３３】
Ｓ３１０。ネットワーク装置は、端末装置のＰＴＲＳの周波数ドメイン位置のリソースブロックオフセットを、端末装置のＰＴＲＳ情報、端末装置の識別子、及び第１帯域幅に基づき決定する。ここで、ＰＴＲＳ情報は、ＰＴＲＳの周波数ドメイン密度又は周波数ドメイン間隔を含み、第１帯域幅は、端末装置のためにネットワーク装置によりスケジューリングされた帯域幅である。
【０１３４】
任意で、Ｓ３１０の前に、ネットワーク装置は、ＰＴＲＳ情報、端末装置の識別子、及び第１帯域幅を取得してよい。
【０１３５】
任意で、ネットワーク装置は、端末装置の識別子を複数の方法で取得してよく、これは本願の本実施形態において限定されない。
【０１３６】
任意的実施形態では、ネットワーク装置のネットワークにアクセスすることを要求するとき、端末装置は、ネットワーク装置へアクセス要求を送信してよい。アクセス要求は、端末装置の識別子を伝達する。ネットワーク装置は、端末装置により送信されたアクセス要求を受信し、端末装置の識別子をアクセス要求から取得してよい。
【０１３７】
別の任意的実施形態では、ネットワーク装置からスケジューリング情報を要求するとき、端末装置は、ネットワーク装置へスケジューリング要求を送信してよい。スケジューリング要求は、端末装置の識別子を伝達する。ネットワーク装置は、端末装置からスケジューリング要求を受信し、端末装置の識別子をスケジューリング要求から取得してよい。
【０１３８】
任意で、端末装置の識別子は、例えば以下の識別子：セル無線ネットワーク一時識別子（cell  radio  network  temporary  identifier、C−RNTI）、ランダムアクセス無線ネットワーク一時識別子（random  access  radio  network  temporary  identifier、RA−RNTI）、一時Ｃ−ＲＮＴＩ、及び送信電力制御無線ネットワーク一時識別子（transmit  power  control  radio  network  temporary  identifier、TPC−RNTI）、のうちの少なくとも１つを含んでよく、これは本願の本実施形態において限定されない。
【０１３９】
任意で、ネットワーク装置は、第１帯域幅を複数の方法で取得してよく、これは本願の本実施形態において限定されない。
【０１４０】
任意的実施形態では、ネットワーク装置は、端末装置のために第１帯域幅を構成してよい。
【０１４１】
任意で、ネットワーク装置は、端末装置のＰＴＲＳ情報を複数の方法で取得してよく、これは本願の本実施形態において限定されない。
【０１４２】
任意的実施形態では、ネットワーク装置は、端末装置のためにＰＴＲＳ情報を構成してよい。
【０１４３】
別の任意的実施形態では、ネットワーク装置は、第１帯域幅及び第１マッピング関係に基づき、端末装置のＰＴＲＳ情報を決定してよい。第１マッピング関係は、第１帯域幅とＰＴＲＳ情報との間の対応を示すために使用される。
【０１４４】
任意で、ネットワーク装置及び端末装置は、第１マッピング関係について予め合意してよく、又はネットワーク装置は、上位レイヤシグナリングを用いて端末装置のために第１マッピング関係を構成してよい。
【０１４５】
例えば、ネットワーク装置及び端末装置は、第１帯域幅の値が第１プリセット値より小さいときＰＴＲＳがマッピングされないこと、第１帯域幅の値が第１プリセット値以上であり且つ第２プリセット値未満であるときＰＴＲＳの周波数ドメイン密度が１である（周波数ドメイン間隔が１ＲＢである）こと、第１帯域幅の値が第２プリセット値以上であり且つ第３プリセット値未満であるときＰＴＲＳの周波数ドメイン密度が２であること、第１帯域幅の値が第３プリセット値以上であり且つ第４プリセット値未満であるときＰＴＲＳの周波数ドメイン密度が４であること、第１帯域幅の値が第４プリセット値以上であるときＰＴＲＳの周波数ドメイン密度が８であること、等を予め合意してよい。第１プリセット値、第２プリセット値、第３プリセット値、及び第４プリセット値は、昇順である。
【０１４６】
任意で、Ｓ３１０で、ＰＴＲＳの周波数ドメイン位置のリソースブロックオフセットは、ＰＴＲＳの周波数ドメイン位置のオフセットがＲＢで測られること、言い換えると、ＰＴＲＳの周波数ドメイン位置のオフセットがＲＢレベルのオフセットであることを意味し得る。
【０１４７】
更に理解されるべきことに、ＰＴＲＳの周波数ドメイン位置のリソースブロックオフセットは、関連ＲＢにおけるＰＴＲＳの周波数ドメイン位置のリソースブロックオフセットとして理解されてよい。
【０１４８】
更に理解されるべきことに、ＰＴＲＳの周波数ドメイン位置は、ＰＴＲＳのシーケンスの中のＰＴＲＳシンボルがマッピングされる周波数ドメイン位置として理解されてよい。
【０１４９】
更に理解されるべきことに、ネットワーク装置が、Ｋ個の物理リソースブロック（physical  resource  block、PRB）を端末装置に割り当てるとき、シーケンス番号（又は番号若しくはインデックス）が０、１、．．．、及びＫ−１である関連ＲＢは、Ｋ個のＰＲＢのシーケンス番号の昇順で取得されてよい。ここで、Ｋは０より大きい整数である。例えば、ネットワーク装置は、シーケンス番号が０、１、６、及び７の４個のＰＲＢを端末装置に割り当て、シーケンス番号が０、１、２、及び３の４個の関連ＲＢは、シーケンス番号の昇順に取得される。
【０１５０】
任意で、Ｋ個の物理リソースブロックは、連続又は不連続であってよく、これは本願の本実施形態において限定されない。
【０１５１】
更に理解されるべきことに、ＰＴＲＳの周波数ドメイン密度Ｎは、ＰＴＲＳの周波数ドメイン間隔がＮ個の関連ＲＢであることを意味してよい。この場合、ＰＴＲＳのシーケンスの中のＰＴＲＳシンボル０は、関連ＲＢ  ０からＮ１のうちの１つに対応し、ＰＴＲＳシンボル１は、関連ＲＢ  Ｎから２＊Ｎ１のうちの１つに対応し、以下同様に、ＰＴＲＳのシーケンスの中の各ＰＴＲＳシンボルに対応する関連ＲＢを得る。
【０１５２】
具体的に、関連ＲＢの中のＰＴＲＳのシーケンス内のＰＴＲＳシンボルＭの周波数ドメイン位置は、関連ＲＢ  Δｆ＋Ｍ＊Ｎであってよい。ここで、Δｆは周波数ドメイン位置のリソースブロックオフセットを示し、ＮはＰＴＲＳの周波数ドメイン密度を示し、Ｍは０以上の整数である。
【０１５３】
任意で、ネットワーク装置は、ＰＴＲＳの周波数ドメイン位置のリソースブロックオフセットを、ＰＴＲＳ情報、端末装置の識別子、及び第１帯域幅のうちの少なくとも１つに基づき決定してよく、これは本願の本実施形態において限定されない。
【０１５４】
任意的実施形態では、ネットワーク装置は、ＰＴＲＳの周波数ドメイン位置のリソースブロックオフセットを、ＰＴＲＳの周波数ドメイン密度及び端末装置の識別子に基づき決定してよい。
【０１５５】
任意で、ＰＴＲＳの周波数ドメイン間隔がＦＤｓｔｅｐであり、且つ端末装置の識別子（identifier、ID）がＩＤＵＥであるとき、ネットワーク装置は、以下の方法でリソースブロックオフセットΔｆを決定する。
【０１５６】
方法１。Δｆ＝ｍｏｄ（ＩＤＵＥ，ＦＤｓｔｅｐ）、ここで、Δｆの値範囲は｛０，１，．．．，ＦＤｓｔｅｐ−１｝である（ＲＢレベルのオフセットでは、周波数密度がＦＤｓｔｅｐ番目のＲＢ毎である場合、値は２つの隣接ＰＴＲＳ間の周波数間隔、ＦＤｓｔｅｐを超えることができず、及び、ＩＤＵＥからＲＢレベルのオフセットを導出するために、Δｆ＝ｍｏｄ（ＩＤＵＥ，ＦＤｓｔｅｐ）として示されるモジュロ演算が導入され得る）。
【０１５７】
方法２。Δｆ＝ＩＤＵＥ｛ｂ０，ｂ１，ｂ２，．．．，ｂＬ−１｝、ここで、Δｆの値範囲は｛０，１，．．．，ＦＤｓｔｅｐ−１｝であり、ＩＤＵＥ｛ｂ０，ｂ１，ｂ２，．．．，ｂＬ−１｝はＩＤＵＥ内のビットｂｉがリソースブロックオフセットを決定するために使用されることを示し、ｉ＝｛０，１，２，．．．，Ｌ−１｝であり、言い換えると、合計でＬ個のビットがあり、Ｌ＝ｃｅｉｌ（ｌｏｇ２ＦＤｓｔｅｐ）であり、Ｌ個のビットは左から右へビット有意性の降順である。
【０１５８】
任意で、２Ｌ＞ＦＤｓｔｅｐのとき、Δｆ＝ｍｏｄ（ＩＤＵＥ｛ｂ０，ｂ１，ｂ２，．．．，ｂＬ−１｝，ＦＤｓｔｅｐ）である。ここで、ｃｅｉｌ（・）は切り上げを示す。
【０１５９】
しかしながら、幾つかの特別のシナリオでは、幾つかの誤ったリソースブロックオフセットが、ネットワーク装置により、ＰＴＲＳ情報及び端末装置の識別子に基づき決定されることがある。その結果、比較的少数のＰＴＲＳが、端末装置のためにネットワーク装置によりスケジューリングされた帯域幅にマッピングされ、ＰＴＲＳが第１帯域幅にマッピングされない場合さえ生じることがあり、それにより位相ノイズ推定に影響する。
【０１６０】
理解されるべきことに、本願の本実施形態におけるＰＴＲＳの数は、ＰＴＲＳシンボルの数として理解されてよい。
【０１６１】
例えば、ＰＴＲＳの周波数ドメイン間隔が４であると仮定すると、リソースブロックオフセットは０ＲＢ、１ＲＢ、２ＲＢ、又は３ＲＢであってよい。第１帯域幅が比較的小さいとき、以下の問題が生じることがある。
【０１６２】
第１帯域幅が２ＲＢであるとき、リソースブロックオフセットが０ＲＢ又は１ＲＢならば、最大数１のＰＴＲＳが第１帯域幅にマッピングされ、又は、リソースブロックオフセットが２ＲＢ又は３ＲＢならば、最小数０のＰＴＲＳが第１帯域幅にマッピングされる。言い換えると、第１帯域幅が２ＲＢならば、リソースブロックオフセットが比較的大きいとき、２個のＲＢ内にＰＴＲＳはマッピングされない。
【０１６３】
第１帯域幅が６ＲＢであるとき、リソースブロックオフセットが０ＲＢ又は１ＲＢならば、最大数２のＰＴＲＳが第１帯域幅にマッピングされ、又は、リソースブロックオフセットが２ＲＢ又は３ＲＢならば、最小数１のＰＴＲＳが第１帯域幅にマッピングされる。言い換えると、第１帯域幅が６ＲＢならば、リソースブロックオフセットが比較的大きいとき、ＰＴＲＳの数は半減される。
【０１６４】
言い換えると、幾つかの条件下で、例えば、リソースブロックオフセットが比較的小さいとき、第１帯域幅にマッピングされるＰＴＲＳの数が比較的大きい。しかしながら、幾つかの他の条件下では、例えば、リソースブロックオフセットが比較的大きいとき、第１帯域幅にマッピングされるＰＴＲＳの数は、リソースブロックオフセットが０ＲＢのとき第１帯域幅にマッピングされるＰＴＲＳの数より少ないことがあり、ＰＴＲＳの数は０にさえなり得る。
【０１６５】
別の任意的実施形態では、ネットワーク装置がＰＴＲＳの周波数ドメイン位置のリソースブロックオフセットを、ＰＴＲＳ情報及び端末装置の識別子に基づき決定することは、第１条件が満たされるとき、ネットワーク装置が、ＰＴＲＳの周波数ドメイン位置のリソースブロックオフセットを、ＰＴＲＳ情報及び端末装置の識別子に基づき決定することであってよい。
【０１６６】
任意で、第１条件は、以下の条件のうちの少なくとも１つであってよい。
【０１６７】
（１）第１帯域幅の、ＰＴＲＳの周波数ドメイン密度に対する比が第１閾より大きい。
【０１６９】
（２）第１帯域幅の、ＰＴＲＳの周波数ドメイン密度に対する比が整数である。
【０１７０】
（３）ＰＴＲＳ情報及び第１帯域幅の条件下でマッピング可能なＰＴＲＳの最大数が、第３閾より大きい。
【０１７１】
（４）ＰＴＲＳ情報及び第１帯域幅の条件下でマッピング可能なＰＴＲＳの最小数が、第４閾より大きい。
（５）ＰＴＲＳの最小数とＰＴＲＳの最大数との比が第２閾より大きい。
【０１７２】
（６）第１帯域幅が、第５閾より大きい。
【０１７３】
第１条件が満たされないとき、第１帯域幅にマッピングされるＰＴＲＳの数は、有意に減少し得る。
【０１７４】
任意で、Ｓ３１０で、ネットワーク装置がリソースブロックオフセットを、ＰＴＲＳ情報、端末装置の識別子、及び第１帯域幅に基づき決定することは、第２条件が満たされるとき、ネットワーク装置が、リソースブロックオフセットを、ＰＴＲＳ情報、端末装置の識別子、及び第１帯域幅に基づき決定してよいことであってよい。
【０１７５】
任意で、第２条件は、以下の条件のうちの少なくとも１つであってよい。
【０１７６】
（１）第１帯域幅の、ＰＴＲＳの周波数ドメイン密度に対する比が第１閾以下である。
【０１７８】
（２）第１帯域幅の、ＰＴＲＳの周波数ドメイン密度に対する比が非整数である。
【０１７９】
（３）ＰＴＲＳ情報及び第１帯域幅の条件下でマッピング可能なＰＴＲＳの最大数が、第３閾以下である。
【０１８０】
（４）ＰＴＲＳ情報及び第１帯域幅の条件下でマッピング可能なＰＴＲＳの最小数が、第４閾以下である。
（５）ＰＴＲＳの最小数とＰＴＲＳの最大数との比が第２閾以下である。
【０１８１】
（６）第１帯域幅が、第５閾以下である。
【０１８２】
任意で、第１閾〜第５閾のうちの１つ以上は、ネットワーク装置及び端末装置により予め合意されてよく、又は第１シグナリングを用いてネットワーク装置により端末装置のために構成されてよい。これは、本願の本実施形態において限定されない。
【０１８３】
任意で、第１シグナリングは、無線リソース制御（radio  resource  control、RRC）シグナリング、媒体アクセス制御（media  access  control、MAC）制御要素（control  element、CE）シグナリング、又はダウンリンク制御情報（downlink  control  information、DCI）シグナリングであってよく、これは本願の本実施形態において限定されない。
【０１８４】
任意的実施形態では、第２条件が満たされるとき、ネットワーク装置は、第２帯域幅を、ＰＴＲＳ情報及び第１帯域幅に基づき決定し、リソースブロックオフセットを第２帯域幅及び端末装置の識別子に基づき決定してよい。
【０１８５】
任意で、ＰＴＲＳの周波数ドメイン間隔がＦＤｓｔｅｐであり、第１帯域幅がＢＷ１であるとき、ネットワーク装置は、第２帯域幅ＢＷ２を以下の方法で決定してよい。
【０１８６】
方法１。ＢＷ２＝ｍｏｄ（ＢＷ１，ＦＤｓｔｅｐ）、ここで、ｍｏｄ（・）はモジュロ演算を示す。
【０１８７】
方法２。ＢＷ２＝ＢＷ１−（Ｎｍａｘ−１）＊ＦＤｓｔｅｐ、ここで、Ｎｍａｘは、第１帯域幅にマッピング可能なＰＴＲＳの最大数、つまりオフセットが０ＲＢであるときマッピング可能なＰＴＲＳの数である。
【０１８８】
例えば、第１帯域幅が６ＲＢであり、周波数ドメイン間隔が４ＲＢであるとき、第２帯域幅は２ＲＢである。
【０１８９】
任意で、第２帯域幅がＢＷ２であり、端末装置の識別子がＩＤＵＥであるとき、ネットワーク装置は、以下の方法でリソースブロックオフセットΔｆを決定してよい。ここで、Δｆの値範囲は｛０，１，２，．．．，ＢＷ２−１｝である。
【０１９０】
方法１。Δｆ＝ｍｏｄ（ＩＤＵＥ，ＢＷ２）
【０１９１】
例えば、第１帯域幅が２ＲＢであり、周波数ドメイン間隔が４ＲＢであるとき、第２帯域幅が２ＲＢならば、ＩＤＵＥが０に等しい端末装置のリソースブロックオフセットは０ＲＢであり、ＩＤＵＥが１に等しい端末装置のリソースブロックオフセットは１ＲＢであり、ＩＤＵＥが２に等しい端末装置のリソースブロックオフセットは０ＲＢであり、ＩＤＵＥが３に等しい端末装置のリソースブロックオフセットは１ＲＢである。
【０１９２】
ＦＤｓｔｅｐの値が２又は４、２の整数乗に限定されることを考慮することにより、ＩＤＵＥのＬ個のビットはオフセットを表すために抽出できる。ここで、Ｌはｌｏｇ２（ＦＤｓｔｅｐ）に等しい。
【０１９３】
前述の方法によると、同じスケジューリングされたＢＷ１について、異なるＵＥのＰＴＲＳの数は、幾つかのシナリオにおいて異なる場合がある。例えば、周波数密度が４番目のＲＢ毎であり、スケジューリングされたＢＷ１が６ＲＢである場合、ＰＴＲＳの数は１又は２となり得、ユーザの間で大きな差を生じる。オフセットに対する更なる限定は、式１（Δｆ＝ｍｏｄ（ＩＤＵＥ，ＦＤｓｔｅｐ））の中の「周波数密度ＦＤｓｔｅｐ」をモジュロＢＷ２に置換するような導入であり、式ＢＷ２＝ｍｏｄ（ＢＷ１，ＦＤｓｔｅｐ）を満たし得る。
【０１９４】
方法２。Δｆ＝ｍｏｄ（ｍｏｄ（ＩＤＵＥ，ＦＤｓｔｅｐ），ＢＷ２）
【０１９５】
例えば、第１帯域幅が２ＲＢであり、周波数ドメイン間隔が４ＲＢであるとき、第２帯域幅が２ＲＢならば、ＩＤＵＥが０に等しい端末装置のリソースブロックオフセットは０ＲＢであり、ＩＤＵＥが１に等しい端末装置のリソースブロックオフセットは１ＲＢであり、ＩＤＵＥが２に等しい端末装置のリソースブロックオフセットは０ＲＢであり、ＩＤＵＥが３に等しい端末装置のリソースブロックオフセットは１ＲＢである。
【０１９６】
方法３。Δｆ＝ｍｉｎ（ｍｏｄ（ＩＤＵＥ，ＦＤｓｔｅｐ），ＢＷ２−１）、ここで、ｍｉｎ（・）は最小値の取得を示す。
【０１９７】
例えば、第１帯域幅が２ＲＢであり、周波数ドメイン間隔が４ＲＢであるとき、第２帯域幅が２ＲＢならば、ＩＤＵＥが０に等しい端末装置のリソースブロックオフセットは０ＲＢであり、ＩＤＵＥが１に等しい端末装置のリソースブロックオフセットは１ＲＢであり、ＩＤＵＥが２に等しい端末装置のリソースブロックオフセットは１ＲＢであり、ＩＤＵＥが３に等しい端末装置のリソースブロックオフセットは１ＲＢである。
【０１９８】
方法４。Δｆ＝ＩＤＵＥ｛ｂ０，ｂ１，．．．，ｂＬ−１｝、ここで、ＩＤＵＥ｛ｂ０，ｂ１，．．．，ｂＬ−１｝はＩＤＵＥ内のビットｂｉがオフセットを決定するために使用されることを示し、ｉ＝｛０，１，２，．．．，Ｌ−１｝であり、言い換えると、合計でＬ個のビットがあり、Ｌ個のビットは左から右へビット有意性の降順である。
【０１９９】
任意で、２Ｌ＞ＢＷ２のとき、Δｆ＝ｍｏｄ（ＩＤＵＥ｛ｂ０，ｂ１，．．．，ｂＬ−１｝，ＢＷ２）である。ここで、ｃｅｉｌ（・）は切り上げを示す。
【０２００】
例えば、第１帯域幅が２ＲＢであり、周波数ドメイン間隔が４ＲＢであるとき、第２帯域幅は２ＲＢであり、Ｌ＝１、つまりＩＤＵＥ｛ｂ０｝である。
【０２０１】
任意で、ｂ０＝０である、つまり、ＩＤＵＥ内のビット０（最下位ビット）がオフセットを決定するために使用されるとき、ＩＤＵＥが０に等しい端末装置のリソースブロックオフセットは０ＲＢであり、ＩＤＵＥが１に等しい端末装置のリソースブロックオフセットは１ＲＢであり、ＩＤＵＥが２に等しい端末装置のリソースブロックオフセットは０ＲＢであり、ＩＤＵＥが３に等しい端末装置のリソースブロックオフセットは１ＲＢである。任意で、ｂ０＝１である、つまり、ＩＤＵＥ内のビット１（第２ビット）がオフセットを決定するために使用されるとき、ＩＤＵＥが０に等しい端末装置のリソースブロックオフセットは０ＲＢであり、ＩＤＵＥが１に等しい端末装置のリソースブロックオフセットは０ＲＢであり、ＩＤＵＥが２に等しい端末装置のリソースブロックオフセットは１ＲＢであり、ＩＤＵＥが３に等しい端末装置のリソースブロックオフセットは１ＲＢである。
【０２０２】
しかしながら、第２条件が満たされるとき、ネットワーク装置が周波数ドメイン間隔及び端末装置の識別子にのみ基づきリソースブロックオフセットを決定するならば、周波数ドメイン間隔が４ＲＢであるとき、ＩＤＵＥが０に等しい端末装置のリソースブロックオフセットは０ＲＢであり、ＩＤＵＥが１に等しい端末装置のリソースブロックオフセットは１ＲＢであり、ＩＤＵＥが２に等しい端末装置のリソースブロックオフセットは２ＲＢであり、ＩＤＵＥが３に等しい端末装置のリソースブロックオフセットは３ＲＢである。
【０２０３】
第１帯域幅が２ＲＢのみであるので、ネットワーク装置は、第１帯域幅内で、ＩＤＵＥが２に等しい端末装置又はＩＤＵＥが３に等しい端末装置と共にＰＴＲＳの送信を実行できない。したがって、ネットワーク装置及び２つの端末装置は、受信したＰＴＲＳに基づきノイズ推定を実行できない。
【０２０４】
本願の本実施形態において提供される参照信号送信方法によると、第２条件が満たされるとき、ネットワーク装置は、リソースブロックオフセットを、ＰＴＲＳ情報、第１帯域幅、及び端末装置の識別子に基づき決定する。その結果、第２条件下で、ネットワーク装置及び各端末装置は、ＰＴＲＳを送信し、受信したＰＴＲＳに基づきノイズ推定を実行できる。
【０２０５】
理解すべきことに、端末装置の識別子に基づく端末装置のＰＴＲＳのリソースブロックオフセットの決定中に、端末装置の識別子は、モジュロ方法を用いてＰＴＲＳのリソースブロックオフセットにマッピングされてよく、端末装置のためにネットワーク装置によりスケジューリングされた帯域幅（第１帯域幅）の、ＰＴＲＳの周波数ドメイン密度に対する比は、比較的小さく、残りの帯域幅（第２帯域幅）は、端末装置の識別子をＰＴＲＳのリソースブロックオフセットにマッピングするモジュロ式の中の元の周波数ドメイン密度を置換してよい（ＵＥ−ＩＤをＲＢレベルオフセットにマッピングするためのモジュロ演算をサポートする。スケジューリングされたＢＷのＰＴＲＳ周波数密度に対する比が小さい場合、モジュロＢＷは、ＵＥ−ＩＤをＲＢレベルオフセットにマッピングするためにモジュロの中の周波数密度を置換する。）。
【０２０６】
任意で、ネットワーク装置がＢＷ２を方法２で決定するとき、第１条件が満たされると、ネットワーク装置は、ＰＴＲＳの周波数ドメイン位置のリソースブロックオフセットを、第２帯域幅及び端末装置の識別子に基づき決定してよい。
【０２０７】
任意で、ネットワーク装置は、複数の方法で、ＰＴＲＳ情報及び第１帯域幅の条件下でマッピング可能なＰＴＲＳの最大数又はＰＴＲＳの最小数を決定してよい。これは、本願の本実施形態において限定されない。
【０２０８】
任意的実施形態では、ネットワーク装置は、ＰＴＲＳの最大数を、第１帯域幅、ＰＴＲＳの周波数ドメイン密度（周波数ドメイン間隔）、及び最小リソースブロックオフセットに基づき決定してよい。ここで、ＰＴＲＳの周波数ドメイン間隔がＦＤｓｔｅｐであるとき、最小リソースブロックオフセットは０である。
【０２０９】
別の任意的実施形態では、ネットワーク装置は、ＰＴＲＳの最小数を、第１帯域幅、ＰＴＲＳの周波数ドメイン密度（周波数ドメイン間隔）、及び最大リソースブロックオフセットに基づき決定してよい。ここで、ＰＴＲＳの周波数ドメイン間隔がＦＤｓｔｅｐであるとき、最大リソースブロックオフセットはＦＤｓｔｅｐ−１である。
【０２１０】
例えば、第１帯域幅が８ＲＢであり、ＰＴＲＳの周波数ドメイン密度が、ＰＴＲＳシンボルが４ＲＢ毎に１つにマッピングされることであるとき、リソースブロックオフセットの値範囲は｛０，１，２，３｝である。最小リソースブロックオフセット０ＲＢに基づき、８ＲＢにマッピング可能なＰＴＲＳの最大数は２であると決定でき（言い換えると、ＰＴＲＳは、ＲＢ  ０及びＲＢ  ４にマッピングされる）、並びに、最大リソースブロックオフセット３ＲＢに基づき、８ＲＢにマッピング可能なＰＴＲＳの最小数は２であると決定できる（言い換えると、ＰＴＲＳは、ＲＢ  ３及びＲＢ  ７にマッピングされる）。
【０２１１】
別の例では、第１帯域幅が６ＲＢであり、ＰＴＲＳの周波数ドメイン密度が、ＰＴＲＳシンボルが４ＲＢ毎に１つにマッピングされることであるとき、リソースブロックオフセットの値範囲は｛０，１，２，３｝である。最小リソースブロックオフセット０ＲＢに基づき、６ＲＢにマッピング可能なＰＴＲＳの最大数は２であると決定でき（言い換えると、ＰＴＲＳは、ＲＢ  ０及び４にマッピングされる）、並びに、最大リソースブロックオフセット３ＲＢに基づき、６ＲＢにマッピング可能なＰＴＲＳの最小数は１であると決定できる（言い換えると、ＰＴＲＳは、ＲＢ  ３にマッピングされる）。
【０２１２】
Ｓ３２０。端末装置は、ＰＴＲＳの周波数ドメイン位置のリソースブロックオフセットを、ＰＴＲＳ情報、端末装置の識別子、及び第１帯域幅に基づき決定する。
【０２１３】
理解されるべきことに、Ｓ３１０及びＳ３２０を実行するための順序は存在しない。
【０２１４】
任意で、Ｓ３２０の前に、端末装置は、ＰＴＲＳ情報、端末装置の識別子、及び第１帯域幅を取得してよい。
【０２１５】
任意で、端末装置の識別子は、例えば以下の識別子：セル無線ネットワーク一時識別子（cell  radio  network  temporary  identifier、C−RNTI）、ランダムアクセス無線ネットワーク一時識別子（random  access  radio  network  temporary  identifier、RA−RNTI）、一時Ｃ−ＲＮＴＩ、及び送信電力制御無線ネットワーク一時識別子（transmit  power  control  radio  network  temporary  identifier、TPC−RNTI）、のうちの少なくとも１つを含んでよく、これは本願の本実施形態において限定されない。
【０２１６】
任意で、端末装置が識別子を生成してよい。
【０２１７】
任意で、端末装置は、第１帯域幅を複数の方法で取得してよく、これは本願の本実施形態において限定されない。
【０２１８】
任意的実施形態で、端末装置は、ネットワーク装置により送信された第１構成情報を受信し、第１帯域幅を第１構成情報から取得してよい。
【０２１９】
任意で、端末装置は、端末装置のＰＴＲＳ情報を複数の方法で取得してよく、これは本願の本実施形態において限定されない。
【０２２０】
任意的実施形態で、端末装置は、ネットワーク装置により送信された第２構成情報を受信し、ＰＴＲＳ情報を第２構成情報から取得してよい。
【０２２１】
別の任意的実施形態では、端末装置は、ネットワーク装置により送信された第１構成情報を受信し、第１帯域幅を第１構成情報から取得し、端末装置のＰＴＲＳ情報を第１帯域幅及び第１マッピング関係に基づき決定してよい。第１マッピング関係は、第１帯域幅とＰＴＲＳ情報との間の対応を示すために使用される。
【０２２２】
任意で、ネットワーク装置及び端末装置は、第１マッピング関係について予め合意してよく、又はネットワーク装置は、上位レイヤシグナリングを用いて端末装置のために第１マッピング関係を構成してよい。
【０２２３】
例えば、ネットワーク装置及び端末装置は、第１帯域幅の値が第１プリセット値より小さいときＰＴＲＳがマッピングされないこと、第１帯域幅の値が第１プリセット値以上であり且つ第２プリセット値未満であるときＰＴＲＳの周波数ドメイン密度が１である（周波数ドメイン間隔が１ＲＢである）こと、第１帯域幅の値が第２プリセット値以上であり且つ第３プリセット値未満であるときＰＴＲＳの周波数ドメイン密度が２であること、第１帯域幅の値が第３プリセット値以上であり且つ第４プリセット値未満であるときＰＴＲＳの周波数ドメイン密度が４であること、第１帯域幅の値が第４プリセット値以上であるときＰＴＲＳの周波数ドメイン密度が８であること、等を予め合意してよい。第１プリセット値、第２プリセット値、第３プリセット値、及び第４プリセット値は、昇順である。
【０２２４】
Ｓ３３０。ネットワーク装置は、ＰＴＲＳの周波数ドメイン位置のリソースブロックオフセットに基づき、端末装置と共にＰＴＲＳの送信を実行する。相応して、端末装置は、ＰＴＲＳの周波数ドメイン位置のリソースブロックオフセットに基づき、ネットワーク装置と共にＰＴＲＳの送信を実行する。
【０２２５】
任意で、Ｓ３３０は、ネットワーク装置が、ＰＴＲＳの周波数ドメイン位置のリソースブロックオフセットに基づき、ＰＴＲＳのマッピングされるべき関連ＲＢの周波数ドメイン位置を決定し、ＰＴＲＳのマッピングされるべき関連ＲＢの周波数ドメイン位置に基づき、ＰＴＲＳのマッピングされるべきＰＲＢの周波数ドメイン位置を決定し、ＰＴＲＳのマッピングされるべきＰＲＢの周波数ドメイン位置で、端末装置と共にＰＴＲＳの送信を実行することであってよい。
【０２２６】
相応して、端末装置は、ＰＴＲＳの周波数ドメイン位置のリソースブロックオフセットに基づき、ＰＴＲＳのマッピングされるべき関連ＲＢの周波数ドメイン位置を決定し、ＰＴＲＳのマッピングされるべき関連ＲＢの周波数ドメイン位置に基づき、ＰＴＲＳのマッピングされるべきＰＲＢの周波数ドメイン位置を決定し、ＰＴＲＳのマッピングされるべきＰＲＢの周波数ドメイン位置で、ネットワーク装置と共にＰＴＲＳの送信を実行する。
【０２２７】
以下は、ネットワーク装置が、ＰＴＲＳの周波数ドメイン位置のリソースブロックオフセットに基づき、ＰＴＲＳのマッピングされるべきＰＲＢの周波数ドメイン位置をどのように決定するかを説明するために、ネットワーク装置を一例として使用する。
【０２２８】
図４は、本願の一実施形態による、ＰＴＲＳのマッピングされるべき関連ＲＢの周波数ドメイン位置とＰＴＲＳのマッピングされるべきＰＲＢの周波数ドメイン位置との間の関係の概略図である。図４に示されるように、ネットワーク装置は、端末装置のために、シーケンス番号が０、１、６、７、８、９、１０、１１、１８、１９、２２、及び２３である全部で１２個の不連続ＰＲＢをスケジューリングし、及びＰＴＲＳの周波数ドメイン密度は４であると仮定する。
【０２２９】
ネットワーク装置によりスケジューリングされた１２ＰＲＢは不連続であり、ＰＴＲＳの周波数ドメイン密度は４である、言い換えると、シンボルが４ＲＢ毎に１つにマッピングされるので、ネットワーク装置は、ＰＴＲＳのマッピングされるべき特定ＰＲＢを決定する必要がある。
【０２３０】
任意で、シーケンス番号が０、１、２、．．．、及び１１である全部で１２個の連続する関連ＲＢが存在し、１２個の不連続ＰＲＢがＰＲＢのシーケンス番号の昇順に連続的に１２個の関連ＲＢに対応すると仮定する。例えば、シーケンス番号が０であるＰＲＢはシーケンス番号が０である関連ＲＢに対応し、シーケンス番号が１であるＰＲＢはシーケンス番号が１である関連ＲＢに対応し、シーケンス番号が６であるＰＲＢはシーケンス番号が２である関連ＲＢに対応し、シーケンス番号が７であるＰＲＢはシーケンス番号が３である関連ＲＢに対応し、．．．、シーケンス番号が２３であるＰＲＢはシーケンス番号が１１である関連ＲＢに対応する。
【０２３１】
ネットワーク装置により端末装置のために構成された、ＰＴＲＳの周波数ドメイン密度が４であり（言い換えると、ＰＴＲＳが４ＲＢ毎に１つにマッピングされ）、及びＰＴＲＳの周波数ドメイン位置のリソースブロックオフセットが１ＲＢであるとき、ＰＴＲＳのマッピングされるべき関連ＲＢの周波数ドメイン位置は、シーケンス番号が１である関連ＲＢ、シーケンス番号が５である関連ＲＢ、及びシーケンス番号が９である関連ＲＢを含む。
【０２３２】
ネットワーク装置は、関連ＲＢとＰＲＢとの間の対応に基づき、ＰＴＲＳのマッピングされるべきＰＲＢの周波数ドメイン位置が、シーケンス番号が１であるＰＲＢ、シーケンス番号が９であるＰＲＢ、及びシーケンス番号が１９であるＰＲＢを含むと決定してよい。
【０２３３】
したがって、ネットワーク装置は、シーケンス番号が１であるＰＲＢ、シーケンス番号が９であるＰＲＢ、及びシーケンス番号が１９であるＰＲＢで、端末装置と共にＰＴＲＳの送信を実行してよい。
【０２３４】
理解されるべきことに、端末装置は、ネットワーク装置と同様の方法で、ＰＴＲＳのマッピングされるべきＰＲＢのリソース位置を決定する。繰り返しを回避するために、詳細はここに再び記載されない。
【０２３５】
更に理解されるべきことに、ＰＴＲＳのマッピングされるべき関連ＲＢの周波数ドメイン位置とＰＴＲＳのマッピングされるべきＰＲＢの周波数ドメイン位置との間の関係を決定する前述の方法は、ＰＲＢが連続的であるシナリオにも適用可能である。これは本願の本実施形態において限定されない。
【０２３６】
任意で、本願の本実施形態では、番号（又はシーケンス番号又はインデックス）の昇順に少なくとも１つの関連ＲＢが、ネットワーク装置によりスケジューリングされた少なくとも１つのＶＲＢ（virtual  resource  block）のシーケンス番号の昇順に取得されてよい。これは本願の本実施形態において限定されない。ネットワーク装置又は端末装置は、ＰＴＲＳのマッピングされるべき関連ＲＢの周波数ドメイン位置に基づき、ＰＴＲＳのマッピングされるべきＶＲＢの周波数ドメイン位置を決定してよい。
【０２３７】
任意で、本願の本実施形態において提供される参照信号送信方法は、参照信号のアップリンク送信シナリオに適用されてよく、又は、参照信号のダウンリンク送信シナリオに適用されてよい。これは、本願の本実施形態において限定されない。
【０２３８】
ダウンリンク送信シナリオでは、Ｓ３３０は、ネットワーク装置が、ＰＴＲＳの周波数ドメイン位置のリソースブロックオフセットに基づき、端末装置へＰＴＲＳを送信し、相応して、端末装置が、ＰＴＲＳの周波数ドメイン位置のリソースブロックオフセットに基づき、ネットワーク装置により送信されたＰＴＲＳを受信することであってよい。
【０２３９】
アップリンク送信シナリオでは、Ｓ３３０は、ネットワーク装置が、ＰＴＲＳの周波数ドメイン位置のリソースブロックオフセットに基づき、ネットワーク装置へＰＴＲＳを送信し、相応して、ネットワーク装置が、ＰＴＲＳの周波数ドメイン位置のリソースブロックオフセットに基づき、端末装置により送信されたＰＴＲＳを受信することであってよい。
【０２４０】
任意で、Ｓ３３０の後に、ネットワーク装置は、ＰＴＲＳに基づき位相ノイズ推定を実行してよく、相応して、端末装置もＰＴＲＳに基づき位相ノイズ推定を実行してよい。
【０２４１】
本願の本実施形態で提供される参照信号送信方法によると、複数ユーザ多入力多出力（multi−user  multiple−input  multiple−output、MU−MIMO）技術は、ＰＴＲＳポート間の、並びにＰＴＲＳポートとデータとの間の、非直交多重化をサポートするため、端末装置のＰＴＲＳのマッピングされるべき少なくとも１つのリソースブロックの周波数ドメイン位置は、端末装置の識別子、ＰＴＲＳ情報、及び第１帯域幅のうちの少なくとも１つに基づき決定される。その結果、端末装置の対にされたＰＴＲＳが、リソースブロックオフセットを用いて異なる周波数ドメイン位置にマッピングできる。言い換えると、端末装置のＰＴＲＳは、別の端末装置のデータにより干渉され、端末装置のＰＴＲＳ干渉は、別の端末装置のデータをランダム化することにより一層ランダムになり、端末装置のＰＴＲＳ干渉のランダム化を助け、それにより、ＰＴＲＳに基づくノイズ推定の性能を安定化させる。
【０２４２】
理解されるべきことに、方法３００に従い、ネットワーク装置又は端末装置は、ＰＴＲＳのマッピングされるべきリソースブロックの周波数ドメイン位置を決定できる。以下は、ネットワーク装置又は端末装置が、リソースブロック内でＰＴＲＳのマッピングされるべきリソースエレメントの周波数ドメイン位置をどのように決定するかを詳細に記載する。
【０２４３】
図５は、本願の一実施形態による参照信号送信方法５００を示す。送信方法５００は、図１に示される通信システム１００に適用されてよい。
【０２４４】
Ｓ５１０。ネットワーク装置は、第２周波数ドメインオフセットを、第１周波数ドメインオフセット、及び第１リソースブロック内で端末装置のＤＭＲＳのマッピングされるべき少なくとも１つのサブキャリアに基づき、決定する。ここで、第１リソースブロックは、端末装置の第１ＰＴＲＳがマッピングされるべきリソースブロックであり、第１周波数ドメインオフセットは、第１リソースブロックから、第１ＰＴＲＳのマッピングされるべきリソースエレメントの周波数ドメイン位置を決定するために使用され、第２周波数ドメインオフセットは、少なくとも１つのサブキャリアから、第１ＰＴＲＳのマッピングされるべき周波数ドメイン位置を決定するために使用される。
【０２４５】
任意で、第１リソースブロックは、端末装置の第１ＰＴＲＳのマッピングされるべきリソースブロックであり、第１リソースブロックは、前述の方法３００に従い決定されてよく、又は別の方法で決定されてよい。これは、本願の本実施形態において限定されない。
【０２４６】
任意で、ネットワーク装置は、複数の方法で、第１リソースブロック内で端末装置のＤＭＲＳのマッピングされるべき少なくとも１つのサブキャリアを取得してよい。これは本願の本実施形態において限定されない。
【０２４７】
任意的実施形態では、ネットワーク装置は、端末装置のために、ＤＭＲＳのマッピングされるべき少なくとも１つのサブキャリアを構成してよい。
【０２４８】
理解されるべきことに、ＰＴＲＳのマッピングされるべきリソースエレメント／サブキャリアは、第１ＰＴＲＳに関連付けられたＤＭＲＳポートにより占有されるサブキャリアセット内にある必要があるので、ネットワーク装置は、ＤＭＲＳのスケジューリング情報に基づき、第１リソースブロック内の１シンボルの中のＰＴＲＳに関連付けられた、ＤＭＲＳポートにより占有される少なくとも１つのサブキャリアを決定してよい。少なくとも１つのサブキャリアは、サブキャリアセットＳ１＝｛ＲＥ１，ＲＥ２，．．．，ＲＥＰ｝として記され、ＲＥｉは、第１リソースブロック内でＤＭＲＳポートがマッピングされるべきサブキャリアの番号／インデックスを示し、ｉの値範囲は｛１，．．．，Ｐ｝であり、Ｐは第１リソースブロック内の１シンボルの中のＤＭＲＳポートにより占有されるサブキャリアの総数であり、ＲＥ１＜ＲＥ２＜ＲＥ３，．．．，＜ＲＥＰである。
【０２４９】
任意で、図６は、第１リソースブロック内でＤＭＲＳポートＱ０／Ｑ１がマッピングされるべきサブキャリアの周波数ドメイン位置の概略図である。図６に示されるように、周波数ドメインオフセット０〜周波数ドメインオフセット１１は、それぞれ、第１リソースブロック内の１シンボルの中のサブキャリア０〜サブキャリア１１に対応する。ＤＭＲＳ構成がタイプ１であるとき、１ＲＢ内で１つのＤＭＲＳポートにより占有されるサブキャリアセットは、Ｓ１＝｛０，２，４，６，８，１０｝であり、それぞれＲＥ１〜ＲＥ６に対応し、この場合にはＰ＝６である。マッピングされるべきＤＭＲＳがタイプ２であるとき、１ＲＢ内で１つのＤＭＲＳポートにより占有されるサブキャリアセットは、Ｓ１＝｛０，１，６，７｝であり、それぞれＲＥ１〜ＲＥ４に対応し、この場合にはＰ＝４である。
【０２５０】
理解されるべきことに、本願の本実施形態におけるＤＭＲＳポートのＱ０／Ｑ１は、ＤＭＲＳポートの番号／識別子を示す。
【０２５１】
任意で、ＰＴＲＳに関連付けられたＤＭＲＳポートにより占有されるサブキャリアが、直流（direct  current、DC）サブキャリアを含むとき、ＰＴＲＳとＤＣサブキャリアとの間の衝突を回避するために、直流サブキャリアのサブキャリア番号／インデックスは、サブキャリアセットから除去され、新しいサブキャリアセットＳ２＝Ｓ１−｛ＲＥＤＣ｝を取得する必要がある。ここで、ＲＥＤＣは、第１リソースブロック内でＰＴＲＳのマッピングされるべきＤＣサブキャリアの番号／インデックスである。
【０２５２】
例えば、図６に示されるように、タイプ１のポートＱ０／Ｑ１がＤＭＲＳのために構成されるとき、Ｓ１＝｛０，２，４，６，８，１０｝であり、ＤＣサブキャリア（サブキャリア６）が第１リソースブロック内でＤＭＲＳポートのマッピングされるべき４番目のサブキャリア、つまりＳ１内のＲＥ４と一致する場合、セットＳ１内のＲＥ４は除去されて、それぞれＲＥ１〜ＲＥ５に対応する新しいサブキャリアセットＳ２＝｛０，２，４，８，１０｝を得る。
【０２５３】
別の例では、図６に示されるように、タイプ２のポートＱ０／Ｑ１がＤＭＲＳのために構成されるとき、Ｓ１＝｛０，１，６，７｝であり、ＤＭＲＳポートについて第１リソースブロック内にＤＣサブキャリアが存在しない場合、Ｓ１は処理される必要がなく、Ｓ２＝Ｓ１＝｛０，１，６，７｝である。
【０２５４】
ＤＣサブキャリアは第１ＰＴＲＳに関連付けられたＤＭＲＳポートにより占有されるサブキャリアセットから除去されるので、以下の問題：第１ＰＴＲＳは、ＤＣサブキャリアの位置する周波数ドメイン位置にマッピングされ、ＰＴＲＳとＤＣサブキャリアとの間の衝突を引き起こすこと、が回避できる。
【０２５５】
理解されるべきことに、第１周波数ドメインオフセットは、第１リソースブロック内で第１ＰＴＲＳのマッピングされるべき周波数ドメイン位置のリソースエレメントオフセットを示す。
【０２５６】
任意で、ネットワーク装置は、第１周波数ドメインオフセットを明示的指示方法又は暗示的指示方法で取得してよく、これは本願の本実施形態において限定されない。
【０２５７】
明示的指示方法。第１周波数ドメインオフセットは、ネットワーク装置により端末装置のために第２シグナリングを用いて構成されてよい。
【０２５８】
任意で、第２シグナリングは、ＲＲＣシグナリング、ＭＡＣ  ＣＥシグナリング、又はＤＣＩシグナリングであってよく、これは本願の本実施形態において限定されない。
【０２５９】
暗示的指示方法。ネットワーク装置は、第１周波数ドメインオフセットを、端末装置の参照情報に基づき決定してよい。ここで、参照情報は、端末装置の識別子及び端末装置のスケジューリング情報のうちの少なくとも１つを含む。
【０２６０】
任意で、端末装置のスケジューリング情報は、例えば、以下の情報：復調参照信号（demodulation  reference  signal、DMRS）のスケジューリング情報、ＰＴＲＳのスケジューリング情報、サウンディング参照信号（sounding  reference  signal、SRS）のスケジューリング情報のような参照信号（reference  signal、RS）のスケジューリング情報、及びコードワードのスケジューリング情報、のうちの少なくとも１つを含んでよい。これは、本願の本実施形態において限定されない。
【０２６１】
任意で、ＤＭＲＳのスケジューリング情報は、ポート番号、ポート数、ポートパターン、リソースエレメントマッピング（resource  element  mapping）、シーケンススクランブリングインデックス／番号、及びＤＭＲＳのサブキャリアシーケンス番号／リソースエレメント、のうちの少なくとも１つを含んでよい。第１ＰＴＲＳのスケジューリング情報は、ポート番号、ポート数、周波数ドメイン密度、リソースエレメントマッピング、及び第１ＰＴＲＳのシーケンススクランブリングインデックス／番号、のうちの少なくとも１つを含んでよい。ＳＲＳのスケジューリング情報は、ポート番号、ポート数、ポートパターン、リソースエレメントマッピング、シーケンススクランブリングインデックス／番号、及びＳＲＳのサブキャリアシーケンス番号／リソースエレメント、のうちの少なくとも１つを含んでよい。コードワードのスケジューリング情報は、コードワードのコードワード番号及び／又はコードワード数を含んでよい。
【０２６２】
任意で、ネットワーク装置は、以下の方法で第１周波数ドメインオフセットｋｏｆｆｓｅｔを決定してよい。
【０２６３】
方法１。ｋｏｆｆｓｅｔ＝ＰＤＭＲＳ、又は、ｋｏｆｆｓｅｔ＝ＰＰＴＲＳ、又は、ｋｏｆｆｓｅｔ＝ＩＤＵＥ、又は、ｋｏｆｆｓｅｔ＝ＩＤＳＣ、又は、ｋｏｆｆｓｅｔ＝ＩＤＣｅｌｌ。
【０２６４】
ＰＤＭＲＳは端末装置のＤＭＲＳポート番号を示し、ＰＰＴＲＳは端末装置のＰＴＲＳポート番号を示し、ＩＤＵＥは端末装置の識別子を示し、ＩＤＳＣは第１ＰＴＲＳのシーケンススクランブリングＩＤ又はＰＴＲＳに関連付けられたＤＭＲＳポートのシーケンススクランブリングＩＤを示し、ＩＤＣｅｌｌはセル識別子を示す。
【０２６５】
方法２。ｋｏｆｆｓｅｔ＝ｍｏｄ（ＰＤＭＲＳ，１２）、又は、ｋｏｆｆｓｅｔ＝ｍｏｄ（ＰＰＴＲＳ，１２）、又は、ｋｏｆｆｓｅｔ＝ｍｏｄ（ＩＤＵＥ，１２）、又は、ｋｏｆｆｓｅｔ＝ｍｏｄ（ＩＤＳＣ，１２）、又は、ｋｏｆｆｓｅｔ＝ｍｏｄ（ＩＤＣｅｌｌ，１２）。
【０２６６】
方法３。ｋｏｆｆｓｅｔ＝ＰＤＭＲＳ−ＰＤＭＲＳ＿ｍｉｎ、又は、ｋｏｆｆｓｅｔ＝ＰＰＴＲＳ−ＰＰＴＲＳ＿ｍｉｎ。
【０２６７】
ＰＤＭＲＳ＿ｍｉｎは最小ＤＭＲＳポート番号を示し、ＰＰＴＲＳ＿ｍｉｎは最小ＰＴＲＳポート番号を示す。
【０２６８】
理解されるべきことに、ネットワーク装置により第１周波数ドメインオフセットに基づき決定された、第１ＰＴＲＳのマッピングされるべきリソースエレメントの周波数ドメイン位置は、ＤＭＲＳのマッピングされるべきサブキャリアに正確に対応できない可能性があるので、第１周波数ドメインオフセットをＤＭＲＳのサブキャリアセットにマッピングするために、マッピング関係が必要とされる。言い換えると、第１ＰＴＲＳをサブキャリアセットにマッピングするための第２周波数ドメインオフセットが決定される必要がある。
【０２６９】
（ＲＥレベルオフセットでは、ＰＴＲＳも、関連付けられたＤＭＲＳを伝達したサブキャリアにマッピングされるべきである。特徴を実現するために、関連付けられたＤＭＲＳポートのサブキャリアのみを含みＤＣトーンを排除したセットが定められ、暗示的又は明示的に示されるＲＥレベルオフセットｋは、セット内の関連オフセットｋ’にマッピングされ、ｋ＋１番目のサブキャリアが、所与のＲＢ内のＰＴＲＳマッピングのために選択され、ｋとｋ’との間のマッピングルールは、ｋ’＝ｍｏｄ（ｋ，Ｓ）により記され、ここでＳはセットのサイズである。）
【０２７０】
例えば、図６に示されるように、第１周波数ドメインオフセットが１１であり、タイプ１のＤＭＲＳポートが構成されるとき、第１オフセットに基づき、第１ＰＴＲＳがサブキャリア１１にマッピングされるべきであると決定されてよく、サブキャリアセットＳ２＝｛０，２，４，８，１０｝なので（ＤＣサブキャリアはＳ１から除去されている）、サブキャリア１１はＳ２に属さないことが分かる。
【０２７１】
任意で、第１周波数ドメインオフセットがｋｏｆｆｓｅｔであり、サブキャリアセットＳ２がＰ個のサブキャリアを含むとき、ネットワーク装置は、第２周波数ドメインオフセットを以下の方法で決定してよい。
【０２７２】
方法１。ｋ’ｏｆｆｓｅｔ＝ｍｏｄ（ｋｏｆｆｓｅｔ，Ｐ）。
【０２７３】
ＰはセットＳ２の中のサブキャリアの数を示す。
【０２７４】
方法２。ｋ’ｏｆｆｓｅｔ＝Ｉｎｔ（ｋｏｆｆｓｅｔ＊Ｐ／１２）。
【０２７５】
例えば、図６に示されるように、第１周波数ドメインオフセットが１１であり、サブキャリアセットＳ２＝｛０，２，４，８，１０｝、つまりＰ＝５であるとき、方法１で、第２周波数ドメインオフセットが１である、言い換えると、第１ＰＴＲＳがサブキャリアセットＳ１の中のＲＥ２、つまりサブキャリア２にマッピングされるべきであると決定されてよい。
【０２７６】
Ｓ５２０。ネットワーク装置は、少なくとも１つのサブキャリアの周波数ドメイン位置及び第２周波数ドメインオフセットに基づき、第１ＰＴＲＳのマッピングされるべき周波数ドメイン位置を決定する。
【０２７７】
任意で、ネットワーク装置は、第２周波数ドメインオフセット及びサブキャリアセットの中の各サブキャリアの位置に基づき、第１ＰＴＲＳのマッピングされるべき周波数ドメイン位置を決定する。
【０２７８】
例えば、サブキャリアセットがＳ２＝｛０，２，４，８，１０｝であり、第１ＰＴＲＳの第２周波数ドメインオフセットが３であるとき、第１ＰＴＲＳのマッピングされるべき周波数ドメイン位置はＲＥ４である。言い換えると、第１ＰＴＲＳはＳ２の中の４番目のサブキャリア（サブキャリア８）にマッピングされる。
【０２７９】
Ｓ５３０。端末装置は、第２周波数ドメインオフセットを、第１周波数ドメインオフセット、及び第１リソースブロック内で端末装置のＤＭＲＳのマッピングされるべき少なくとも１つのサブキャリアに基づき決定する。
【０２８０】
Ｓ５４０。端末装置は、少なくとも１つのサブキャリアの周波数ドメイン位置及び第２周波数ドメインオフセットに基づき、第１ＰＴＲＳのマッピングされるべき周波数ドメイン位置を決定する。
【０２８１】
理解されるべきことに、Ｓ５３０はＳ５１０と同様であり、Ｓ５４０はＳ５２０と同様である。繰り返しを回避するために、詳細はここに再び記載されない。
【０２８２】
更に理解されるべきことに、Ｓ５１０及びＳ５３０を実行するための順序は存在しない。
【０２８３】
Ｓ５５０。ネットワーク装置は、第１ＰＴＲＳのマッピングされるべき周波数ドメイン位置に基づき、端末装置と共に第１ＰＴＲＳの送信を実行する。相応して、端末装置は、第１ＰＴＲＳのマッピングされるべき周波数ドメイン位置に基づき、ネットワーク装置と共に第１ＰＴＲＳの送信を実行する。
【０２８４】
任意で、第１リソースブロック内で２つの異なるＰＴＲＳポートのマッピングされるべき位置が同じとき、例えば、図６に示されるように、タイプ１のＤＭＲＳが構成されるとき、第１ＰＴＲＳ及び第２ＰＴＲＳのために決定された第２周波数ドメインオフセットが両方とも１であると仮定すると（言い換えると、ＰＴＲＳ１及びＰＴＲＳ２の両方が、ＤＭＲＳポートにより占有されるサブキャリアセット内のサブキャリア４にマッピングされるべきである）、第１ＰＴＲＳ及び第２ＰＴＲＳは互いに干渉する。したがって、以下の方法で、２つの異なるＰＴＲＳのマッピングされるべき周波数ドメイン位置は異なることが保証され得る。
【０２８５】
任意で、第１ＰＴＲＳ及び第２ＰＴＲＳは、同じ端末装置の異なるＰＴＲＳポートに対応してよく、又は異なる端末装置に対応してよい。これは、本願の本実施形態において限定されない。
【０２８６】
方法１。ｋ’ｏｆｆｓｅｔ１＝ｋ’ｏｆｆｓｅｔ２＋１、又は、ｋ’ｏｆｆｓｅｔ１＝ｋ’ｏｆｆｓｅｔ２−１。
【０２８７】
ｋ’ｏｆｆｓｅｔ１は第１ＰＴＲＳの第２周波数ドメインオフセットを示し、ｋ’ｏｆｆｓｅｔ２は第２ＰＴＲＳの第２周波数ドメインオフセットを示す。
【０２８８】
サブキャリアセットがＳ２＝｛ＲＥ１，ＲＥ２，．．．，ＲＥＰ｝であると仮定すると、第１ＰＴＲＳの第２周波数ドメインオフセットが第２ＰＴＲＳの周波数ドメインオフセットと同じとき、ネットワーク装置は、サブキャリアセットの中でＲＥｊに隣接するＲＥｊ−１又はＲＥｊ＋１を、第１ＰＴＲＳのマッピングされるべきリソースエレメントの周波数ドメイン位置として決定し、ＲＥｊ−１又はＲＥｊ＋１で端末装置と共に第１ＰＴＲＳの送信を実行してよい。ここで、ＲＥｊは、第１ＰＴＲＳの第２周波数ドメインオフセットに対応するリソースエレメントの周波数ドメイン位置を示し、ｊの値範囲は｛１，２，．．．，Ｐ｝である。
【０２８９】
任意で、隣接サブキャリアが範囲外にあるとき、値はセット内の要素数に基づき循環的に使用されてよい。
【０２９０】
例えば、ｊ−１＝０のとき、ｊ−１はＰに設定されてよい。言い換えると、値が最小数未満であるとき、セットの終わりに対して循環処理が実行されて、最大値を得る。
【０２９１】
例えば、ｊ＋１＝Ｐ＋１のとき、ｊ−１は１に設定されてよい。言い換えると、値が最大数より大きいとき、セットの始めに対して循環処理が実行されて、最小値を得る。
【０２９２】
相応して、ネットワーク装置は、端末装置と共にＲＥｊで第２ＰＴＲＳの送信を実行する。
【０２９３】
方法２。ｋ’ｏｆｆｓｅ２＝ｋ’ｏｆｆｓｅｔ１＋１、又は、ｋ’ｏｆｆｓｅｔ２＝ｋ’ｏｆｆｓｅｔ１−１。
【０２９４】
サブキャリアセットがＳ２＝｛ＲＥ１，ＲＥ２，．．．，ＲＥＰ｝であると仮定すると、第１ＰＴＲＳの第２周波数ドメインオフセットが第２ＰＴＲＳの周波数ドメインオフセットと同じとき、ネットワーク装置は、サブキャリアセットの中でＲＥｊに隣接するＲＥｊ−１又はＲＥｊ＋１を、第２ＰＴＲＳのマッピングされるべきリソースエレメントの周波数ドメイン位置として決定し、ＲＥｊ−１又はＲＥｊ＋１で端末装置と共に第２ＰＴＲＳの送信を実行してよい。ここで、ＲＥｊは、第２ＰＴＲＳの第２周波数ドメインオフセットに対応するリソースエレメントの周波数ドメイン位置を示し、ｊの値範囲は｛１，２，．．．，Ｐ｝である。
【０２９５】
任意で、隣接サブキャリアが範囲外にあるとき、値はセット内の要素数に基づき循環的に使用されてよい。
【０２９６】
例えば、ｊ−１＝０のとき、ｊ−１はＰに設定されてよい。言い換えると、値が最小数未満であるとき、セットの終わりに対して循環処理が実行されて、最大値を得る。
【０２９７】
例えば、ｊ＋１＝Ｐ＋１のとき、ｊ−１は１に設定されてよい。言い換えると、値が最大数より大きいとき、セットの始めに対して循環処理が実行されて、最小値を得る。
【０２９８】
相応して、ネットワーク装置は、端末装置と共にＲＥｊで第１ＰＴＲＳの送信を実行する。
【０２９９】
例えば、サブキャリアセットがＳ２＝｛０，２，４，８，１０｝であり、第１ＰＴＲＳの第２周波数ドメインオフセット及び第２ＰＴＲＳの第２周波数ドメインオフセットが両方とも２であるとき、言い換えると、第１ＰＴＲＳ及び第２ＰＴＲＳの両方が３番目のサブキャリア（サブキャリア４）にマッピングされるべきであると仮定する。
【０３００】
任意で、ネットワーク装置は、第１ＰＴＲＳの送信を端末装置と共に、３番目のサブキャリア（サブキャリア４）で実行し、第２ＰＴＲＳの送信を端末装置と共に、２番目のサブキャリア（サブキャリア２）／４番目のサブキャリア（サブキャリア８）で実行してよい。
【０３０１】
任意で、ネットワーク装置は、第２ＰＴＲＳの送信を端末装置と共に、３番目のサブキャリア（サブキャリア４）で実行し、第１ＰＴＲＳの送信を端末装置と共に、２番目のサブキャリア（サブキャリア２）／４番目のサブキャリア（サブキャリア８）で実行してよい。
【０３０２】
理解されるべきことに、サブキャリアセット内の関連オフセット（第２周波数ドメインオフセット）が定められてよく、所与のリソースブロック内でＰＴＲＳのマッピングされるべきサブキャリアを示すために使用される。サブキャリアセットは、ＰＴＲＳに関連付けられたＤＭＲＳポートにより占有されるサブキャリアを含み、直流サブキャリアを含まない（関連ＤＭＲＳポートにより占有されるサブキャリアのみを含みＤＣトーンを含まないサブキャリアセットの間で関連オフセットをサポートする）。
【０３０３】
本願の本実施形態において提供される参照信号送信方法によると、第１ＰＴＲＳのマッピングされるべきリソースエレメントの周波数ドメイン位置が、第２ＰＴＲＳのマッピングされるべきリソースエレメントの周波数ドメイン位置と同じであるとき、第１ＰＴＲＳのマッピングされるべきリソースエレメントの周波数ドメイン位置又は第２ＰＴＲＳのマッピングされるべきリソースエレメントの周波数ドメイン位置は、調整されてよい。その結果、第１ＰＴＲＳ及び第２ＰＴＲＳは、ＤＭＲＳポートにより占有されるサブキャリアセット内で２つの異なるサブキャリアにマッピングされ、２つのサブキャリアはサブキャリアセットの中で隣接する番号又はインデックスを有する。それにより、第１ＰＴＲＳと第２ＰＴＲＳとの間の相互干渉を回避する。
【０３０４】
図１〜図６を参照して、以上は、本願の実施形態において提供される参照信号送信方法を詳細に記載した。図７〜図１４を参照して、以下は、本願の実施形態において提供される参照信号送信機器を記載する。
【０３０５】
図７は、本願の一実施形態による参照信号送信機器７００を示す。送信機器７００は、
端末装置の位相追跡参照信号（ＰＴＲＳ）の周波数ドメイン位置のリソースブロックオフセットを、端末装置のＰＴＲＳ情報、端末装置の識別子、及び第１帯域幅に基づき決定するよう構成される処理ユニット７１０であって、ＰＴＲＳ情報は、ＰＴＲＳの周波数ドメイン密度又は周波数ドメイン間隔を含み、第１帯域幅は端末装置のためにスケジューリングされた帯域幅である、処理ユニット７１０と、
処理ユニット７１０により決定された、ＰＴＲＳの周波数ドメイン位置のリソースブロックオフセットに基づき、端末装置と共にＰＴＲＳの送信を実行するよう構成される通信機ユニット７２０と、を含む。
【０３０６】
任意で、処理ユニットは、具体的に、端末装置のＰＴＲＳの周波数ドメイン位置のリソースブロックオフセットを、端末装置のＰＴＲＳ情報、端末装置の識別子、及び第１帯域幅に基づき決定する前に、ＰＴＲＳ情報及び第１帯域幅の条件下でマッピング可能なＰＴＲＳの最大数及びＰＴＲＳの最小数を決定し、ＰＴＲＳの最小数のＰＴＲＳの最大数に対する比が第１プリセット値以下であるとき、ＰＴＲＳの周波数ドメイン位置のリソースブロックオフセットを、端末装置のＰＴＲＳ情報、端末装置の識別子、及び第１帯域幅に基づき決定するよう構成される。
【０３０７】
任意で、処理ユニットは、具体的に、ＰＴＲＳ情報に基づき第１帯域幅に対してモジュロ処理を実行して、第２帯域幅を取得し、第２帯域幅及び端末装置の識別子に基づき、ＰＴＲＳの周波数ドメイン位置のリソースブロックオフセットを決定する、よう構成される。
【０３０８】
任意で、処理ユニットは、具体的に、ＰＴＲＳの最小数のＰＴＲＳの最大数に対する比が第１プリセット値より大きいとき、ＰＴＲＳの周波数ドメイン位置のリソースブロックオフセットを、ＰＴＲＳ情報及び端末装置の識別子に基づき決定するよう構成される。
【０３０９】
理解されるべきことに、送信機器７００は、ここで、機能ユニットの形式で具現化される。用語「ユニット」は、ここで、特定用途向け集積回路（application−specific  integrated  circuit、ASIC）、電子回路、１又は複数のソフトウェア若しくはファームウェアプログラムを実行するプロセッサ（例えば、共有プロセッサ、専用プロセッサ、又はグループプロセッサ）、メモリ、組み合わせ論理回路、及び／又は記載の機能をサポートする別の適切なコンポーネントであってよい。任意的な例では、当業者は、送信機器７００が、具体的に、送信方法３００の実施形態におけるネットワーク装置であってよく、送信機器７００が、方法３００の実施形態におけるネットワーク装置に対応する手順及び／又はステップを実行するよう構成されてよいことを理解し得る。繰り返しを回避するために、詳細はここに再び記載されない。
【０３１０】
図８は、本願の一実施形態による参照信号送信機器８００を示す。送信機器８００は、
位相追跡参照信号（ＰＴＲＳ）の周波数ドメイン位置のリソースブロックオフセットを、ＰＴＲＳ情報、送信機器の識別子、及び第１帯域幅に基づき決定するよう構成される処理ユニット８１０であって、ＰＴＲＳ情報は、ＰＴＲＳの周波数ドメイン密度又は周波数ドメイン間隔を含み、第１帯域幅は送信機器のためにネットワーク装置によりスケジューリングされた帯域幅である、処理ユニット８１０と、
処理ユニット８１０により決定された、ＰＴＲＳの周波数ドメイン位置のリソースブロックオフセットに基づき、ネットワーク装置と共にＰＴＲＳの送信を実行するよう構成される通信機ユニット８２０と、を含む。
【０３１１】
任意で、処理ユニットは、具体的に、ＰＴＲＳの周波数ドメイン位置のリソースブロックオフセットを、ＰＴＲＳ情報、送信機器の識別子、及び第１帯域幅に基づき決定する前に、ＰＴＲＳ情報及び第１帯域幅の条件下でマッピング可能なＰＴＲＳの最大数及びＰＴＲＳの最小数を決定し、ＰＴＲＳの最小数のＰＴＲＳの最大数に対する比が第１プリセット値以下であるとき、ＰＴＲＳの周波数ドメイン位置のリソースブロックオフセットを、ＰＴＲＳ情報、送信機器の識別子、及び第１帯域幅に基づき決定するよう構成される。
【０３１２】
任意で、処理ユニットは、具体的に、ＰＴＲＳ情報に基づき第１帯域幅に対してモジュロ処理を実行して、第２帯域幅を取得し、第２帯域幅及び送信機器の識別子に基づき、ＰＴＲＳの周波数ドメイン位置のリソースブロックオフセットを決定する、よう構成される。
【０３１３】
任意で、処理ユニットは、具体的に、ＰＴＲＳの最小数のＰＴＲＳの最大数に対する比が第１プリセット値より大きいとき、ＰＴＲＳの周波数ドメイン位置のリソースブロックオフセットを、ＰＴＲＳ情報及び送信機器の識別子に基づき決定するよう構成される。
【０３１４】
理解されるべきことに、送信機器８００は、ここで、機能ユニットの形式で具現化される。用語「ユニット」は、ここで、ＡＳＩＣ、電子回路、１又は複数のソフトウェア若しくはファームウェアプログラムを実行するプロセッサ（例えば、共有プロセッサ、専用プロセッサ、又はグループプロセッサ）、メモリ、組み合わせ論理回路、及び／又は記載の機能をサポートする別の適切なコンポーネントであってよい。任意的な例では、当業者は、送信機器８００が、具体的に、送信方法３００の実施形態における端末装置であってよく、送信機器８００が、送信方法３００の実施形態における端末装置に対応する手順及び／又はステップを実行するよう構成されてよいことを理解し得る。繰り返しを回避するために、詳細はここに再び記載されない。
【０３１５】
図９は、本願の一実施形態による参照信号送信機器９００を示す。送信機器９００は、
第２周波数ドメインオフセットを、第１周波数ドメインオフセット、及び第１リソースブロック内で端末装置の復調参照信号（ＤＭＲＳ）がマッピングされるべき少なくとも１つのサブキャリアに基づき決定するよう構成される処理ユニット９１０であって、第１リソースブロックは、端末装置の第１位相追跡参照信号（ＰＴＲＳ）のマッピングされるべきリソースブロックであり、第１周波数ドメインオフセットは、第１リソースブロックから、第１ＰＴＲＳのマッピングされるべきリソースエレメントの周波数ドメイン位置を決定するために使用され、第２周波数ドメインオフセットは、少なくとも１つのサブキャリアから、第１ＰＴＲＳのマッピングされるべき周波数ドメイン位置を決定するために使用され、及び、少なくとも１つのサブキャリアの周波数ドメイン位置及び第２周波数ドメインオフセットに基づき、第１ＰＴＲＳのマッピングされるべき周波数ドメイン位置を決定するよう構成される処理ユニット９１０と、
処理ユニット９１０により決定された、第１ＰＴＲＳのマッピングされるべき周波数ドメイン位置に基づき、端末装置と共に第１ＰＴＲＳの送信を実行するよう構成される通信機ユニット９２０と、を含む。
【０３１６】
可能な実装では、少なくとも１つのサブキャリアは直流サブキャリアを含まない。
【０３１７】
可能な実装では、第１ＰＴＲＳのマッピングされるべき周波数ドメイン位置及び端末装置の第２ＰＴＲＳのマッピングされるべき周波数ドメイン位置の両方が、少なくとも１つのサブキャリアの中の第１サブキャリアであるとき、通信機ユニットは、具体的に、第１サブキャリアに基づき第２サブキャリアを決定し、第２サブキャリアは、第１サブキャリアからなくとも１つのサブキャリアの中のサブキャリアの最小数だけ離れたサブキャリアであり、第２サブキャリアで、端末装置と共に第１ＰＴＲＳの送信を実行する、よう構成される。
【０３１８】
可能な実装では、送信機器は取得ユニットを更に含む。取得ユニットは、第２周波数ドメインオフセットが、第１周波数ドメインオフセット、及び第１リソースブロック内で端末装置のＤＭＲＳがマッピングされるべき少なくとも１つのサブキャリアに基づき決定される前に、端末装置の参照情報を取得し、参照情報は、端末装置の識別子及び端末装置のスケジューリング情報のうちの少なくとも１つを含み、及び、端末装置の参照情報に基づき第１周波数ドメインオフセットを決定するよう構成される。
【０３１９】
可能な実装では、端末装置のスケジューリング情報は、以下の情報：ＤＭＲＳのスケジューリング情報、第１ＰＴＲＳのスケジューリング情報、サウンディング参照信号（ＳＲＳ）のスケジューリング情報、及びコードワードのスケジューリング情報、のうちの少なくとも１つを含む。
【０３２０】
理解されるべきことに、送信機器９００は、ここで、機能ユニットの形式で具現化される。用語「ユニット」は、ここで、ＡＳＩＣ、電子回路、１又は複数のソフトウェア若しくはファームウェアプログラムを実行するプロセッサ（例えば、共有プロセッサ、専用プロセッサ、又はグループプロセッサ）、メモリ、組み合わせ論理回路、及び／又は記載の機能をサポートする別の適切なコンポーネントであってよい。任意的な例では、当業者は、送信機器９００が、具体的に、送信方法５００の実施形態におけるネットワーク装置であってよく、送信機器９００が、送信方法５００の実施形態におけるネットワーク装置に対応する手順及び／又はステップを実行するよう構成されてよいことを理解し得る。繰り返しを回避するために、詳細はここに再び記載されない。
【０３２１】
図１０は、本願の一実施形態による参照信号送信機器１０００を示す。送信機器１０００は、
第２周波数ドメインオフセットを、第１周波数ドメインオフセット、及び第１リソースブロック内で送信機器の復調参照信号（ＤＭＲＳ）がマッピングされるべき少なくとも１つのサブキャリアに基づき決定するよう構成される処理ユニット１０１０であって、第１リソースブロックは、第１位相追跡参照信号（ＰＴＲＳ）のマッピングされるべきリソースブロックであり、第１周波数ドメインオフセットは、第１リソースブロックから、第１ＰＴＲＳのマッピングされるべきリソースエレメントの周波数ドメイン位置を決定するために使用され、第２周波数ドメインオフセットは、少なくとも１つのサブキャリアから、第１ＰＴＲＳのマッピングされるべき周波数ドメイン位置を決定するために使用され、及び、少なくとも１つのサブキャリアの周波数ドメイン位置及び第２周波数ドメインオフセットに基づき、第１ＰＴＲＳのマッピングされるべき周波数ドメイン位置を決定するよう構成される処理ユニット１０１０と、
処理ユニット１０１０により決定された、第１ＰＴＲＳのマッピングされるべき周波数ドメイン位置に基づき、ネットワーク装置と共に第１ＰＴＲＳの送信を実行するよう構成される通信機ユニット１０２０と、を含む。
【０３２２】
可能な実装では、少なくとも１つのサブキャリアは直流サブキャリアを含まない。
【０３２３】
可能な実装では、第１ＰＴＲＳのマッピングされるべき周波数ドメイン位置及び送信機器の第２ＰＴＲＳのマッピングされるべき周波数ドメイン位置の両方が、少なくとも１つのサブキャリアの中の第１サブキャリアであるとき、通信機ユニットは、具体的に、第１サブキャリアに基づき第２サブキャリアを決定し、第２サブキャリアは、第１サブキャリアから少なくとも１つのサブキャリアの中のサブキャリアの最小数だけ離れたサブキャリアであり、第２サブキャリアで、ネットワーク装置と共に第１ＰＴＲＳの送信を実行する、よう構成される。
【０３２４】
可能な実装では、送信機器は取得ユニットを更に含む。取得ユニットは、第２周波数ドメインオフセットが、第１周波数ドメインオフセット、及び第１リソースブロック内で送信機器のＤＭＲＳがマッピングされるべき少なくとも１つのサブキャリアに基づき決定される前に、送信機器の参照情報を取得し、参照情報は、送信機器の識別子及び送信機器のスケジューリング情報のうちの少なくとも１つを含み、及び、送信機器の参照情報に基づき第１周波数ドメインオフセットを決定するよう構成される。
【０３２５】
可能な実装では、送信機器のスケジューリング情報は、以下の情報：ＤＭＲＳのスケジューリング情報、第１ＰＴＲＳのスケジューリング情報、サウンディング参照信号（ＳＲＳ）のスケジューリング情報、及びコードワードのスケジューリング情報、のうちの少なくとも１つを含む。
【０３２６】
理解されるべきことに、送信機器１０００は、ここで、機能ユニットの形式で具現化される。用語「ユニット」は、ここで、ＡＳＩＣ、電子回路、１又は複数のソフトウェア若しくはファームウェアプログラムを実行するプロセッサ（例えば、共有プロセッサ、専用プロセッサ、又はグループプロセッサ）、メモリ、組み合わせ論理回路、及び／又は記載の機能をサポートする別の適切なコンポーネントであってよい。任意的な例では、当業者は、送信機器１０００が、具体的に、送信方法５００の実施形態における端末装置であってよく、送信機器１０００が、送信方法５００の実施形態における端末装置に対応する手順及び／又はステップを実行するよう構成されてよいことを理解し得る。繰り返しを回避するために、詳細はここに再び記載されない。
【０３２７】
図１１は、本願の一実施形態による参照信号送信機器１１００を示す。送信機器１１００は、図１に示される通信システムにおけるネットワーク装置であってよい。図１１に示されるハードウェアアーキテクチャは、ネットワーク装置のために使用されてよい。ネットワーク装置は、プロセッサ１１１０、通信機１１２０、及びメモリ１１３０を含んでよく、プロセッサ１１１０、通信機１１２０、及びメモリ１１３０は、内部接続パスを用いて互いに通信する。図７の処理ユニット７１０により実装される関連機能は、プロセッサ１１１０により実装されてよく、通信機ユニット７２０により実装される関連機能は、通信機１１２０により実装されてよい。
【０３２８】
プロセッサ１１１０は、１つ以上のプロセッサ、例えば１つ以上の中央処理ユニット（central  processing  unit、CPU）を含んでよい。プロセッサが１つのＣＰＵであるとき、ＣＰＵは単一コアＣＰＵであってよく、又はマルチコアＣＰＵであってよい。
【０３２９】
通信機１１２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０３３０】
メモリ１１３０は、限定ではないが、ランダムアクセスメモリ（random  access  memory、RAM）、読み出し専用メモリ（read−only  memory、ROM）、消去可能プログラマブル読み出し専用メモリ（erasable  programmable  read  only  memory、EPROM）、及びコンパクトディスク読み出し専用メモリ（compact  disc  read−only  memory、CD−ROM）を含み、メモリ１１３０は関連命令及び関連データを格納するよう構成される。
【０３３１】
メモリ１１３０は、ネットワーク装置のプログラムコード及びデータを格納するよう構成され、別個のコンポーネントであり又はプロセッサ１１１０に統合されてよい。
【０３３２】
具体的に、プロセッサ１１１０は、端末装置と共に参照信号の送信を実行するよう、例えばＳ３３０の一部を実行するよう、通信機を制御するよう構成される。詳細については、方法の実施形態における記載を参照し、詳細はここで再び記載されない。
【０３３３】
図１１は単にネットワーク装置の簡略な設計を示すことが理解され得る。実際の適用では、ネットワーク装置は、限定ではないが、任意の数の通信機、プロセッサ、制御部、メモリ、等を含む他の必要な要素を更に別個に含んでよく、本願を実施可能な全てのネットワーク装置は本願の保護範囲に含まれる。
【０３３４】
可能な設計では、送信機器１１００は、チップであってよく、例えば、ネットワーク装置内で使用され得る通信チップであってよく、ネットワーク装置内のプロセッサ１１１０の関連機能を実装するよう構成される。チップは、フィールドプログラマブルゲートアレイ、専用集積チップ、システムチップ、中央処理ユニット、ネットワークプロセッサ、デジタル信号処理回路、又は関連機能を実装するマイクロコントローラであってよく、又はプログラマブルコントローラ又は別の集積チップであってよい。任意で、チップは、プログラムコードを格納するよう構成される１つ以上のメモリを含んでよく、コードを実行すると、プロセッサは対応する機能を実施する。
【０３３５】
図１２は、本願の一実施形態による参照信号送信機器１２００を示す。送信機器１２００は、図１に示される通信システムにおける端末装置であってよい。図１２に示されるハードウェアアーキテクチャは、端末装置のために使用されてよい。端末装置は、プロセッサ１２１０、通信機１２２０、及びメモリ１２３０を含んでよく、プロセッサ１２１０、通信機１２２０、及びメモリ１２３０は、内部接続パスを用いて互いに通信する。図８の処理ユニット８１０により実装される関連機能は、プロセッサ１２１０により実装されてよく、通信機ユニット８２０により実装される関連機能は、通信機１２２０により実装されてよい。
【０３３６】
プロセッサ１２１０は、１つ以上のプロセッサ、例えば１つ以上の中央処理ユニットＣＰＵを含んでよい。プロセッサが１つのＣＰＵであるとき、ＣＰＵは単一コアＣＰＵであってよく、又はマルチコアＣＰＵであってよい。
【０３３７】
通信機１２２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０３３８】
メモリ１２３０は、限定ではないが、ＲＡＭ、ＲＯＭ、ＥＰＲＯＭ、又はＣＤ−ＲＯＭを含み、メモリ１２３０は、関連命令及び関連データを格納するよう構成される。
【０３３９】
メモリ１２３０は、端末装置のプログラムコード及びデータを格納するよう構成され、別個のコンポーネントであり又はプロセッサ１２１０に統合されてよい。
【０３４０】
具体的に、プロセッサ１２１０は、ネットワーク装置と共に参照信号の送信を実行するよう、例えばＳ３３０の一部を実行するよう、通信機を制御するよう構成される。詳細については、方法の実施形態における記載を参照し、詳細はここで再び記載されない。
【０３４１】
図１２は単に端末装置の簡略な設計を示すことが理解され得る。実際の適用では、端末装置は、限定ではないが、任意の数の通信機、プロセッサ、制御部、メモリ、等を含む他の必要な要素を更に別個に含んでよく、本願を実施可能な全ての端末装置は本願の保護範囲に含まれる。
【０３４２】
可能な設計では、送信機器１２００は、チップであってよく、例えば、端末装置内で使用され得る通信チップであってよく、端末装置内のプロセッサ１２１０の関連機能を実装するよう構成される。チップは、フィールドプログラマブルゲートアレイ、専用集積チップ、システムチップ、中央処理ユニット、ネットワークプロセッサ、デジタル信号処理回路、又は関連機能を実装するマイクロコントローラであってよく、又はプログラマブルコントローラ又は別の集積チップであってよい。任意で、チップは、プログラムコードを格納するよう構成される１つ以上のメモリを含んでよく、コードを実行すると、プロセッサは対応する機能を実施する。
【０３４３】
図１３は、本願の一実施形態による参照信号送信機器１３００を示す。送信機器１３００は、図１に示される通信システムにおけるネットワーク装置であってよい。図１３に示されるハードウェアアーキテクチャは、ネットワーク装置のために使用されてよい。ネットワーク装置は、プロセッサ１３１０、通信機１３２０、及びメモリ１３３０を含んでよく、プロセッサ１３１０、通信機１３２０、及びメモリ１３３０は、内部接続パスを用いて互いに通信する。図９の処理ユニット９１０により実装される関連機能は、プロセッサ１３１０により実装されてよく、通信機ユニット９２０により実装される関連機能は、通信機１３２０により実装されてよい。
【０３４４】
プロセッサ１３１０は、１つ以上のプロセッサ、例えば１つ以上の中央処理ユニット（central  processing  unit、CPU）を含んでよい。プロセッサが１つのＣＰＵであるとき、ＣＰＵは単一コアＣＰＵであってよく、又はマルチコアＣＰＵであってよい。
【０３４５】
通信機１３２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０３４６】
メモリ１３３０は、限定ではないが、ＲＡＭ、ＲＯＭ、ＥＰＲＯＭ、又はＣＤ−ＲＯＭを含み、メモリ１３３０は、関連命令及び関連データを格納するよう構成される。
【０３４７】
メモリ１３３０は、ネットワーク装置のプログラムコード及びデータを格納するよう構成され、別個のコンポーネントであり又はプロセッサ１３１０に統合されてよい。
【０３４８】
具体的に、プロセッサ１３１０は、端末装置と共に参照信号の送信を実行するよう、例えばＳ３３０の一部を実行するよう、通信機を制御するよう構成される。詳細については、方法の実施形態における記載を参照し、詳細はここで再び記載されない。
【０３４９】
図１３は単にネットワーク装置の簡略な設計を示すことが理解され得る。実際の適用では、ネットワーク装置は、限定ではないが、任意の数の通信機、プロセッサ、制御部、メモリ、等を含む他の必要な要素を更に別個に含んでよく、本願を実施可能な全てのネットワーク装置は本願の保護範囲に含まれる。
【０３５０】
可能な設計では、送信機器１３００は、チップであってよく、例えば、ネットワーク装置内で使用され得る通信チップであってよく、ネットワーク装置内のプロセッサ１３１０の関連機能を実装するよう構成される。チップは、フィールドプログラマブルゲートアレイ、専用集積チップ、システムチップ、中央処理ユニット、ネットワークプロセッサ、デジタル信号処理回路、又は関連機能を実装するマイクロコントローラであってよく、又はプログラマブルコントローラ又は別の集積チップであってよい。任意で、チップは、プログラムコードを格納するよう構成される１つ以上のメモリを含んでよく、コードを実行すると、プロセッサは対応する機能を実施する。
【０３５１】
図１４は、本願の一実施形態による参照信号送信機器１４００を示す。送信機器１４００は、図１に示される通信システムにおける端末装置であってよい。図１４に示されるハードウェアアーキテクチャは、端末装置のために使用されてよい。端末装置は、プロセッサ１４１０、通信機１４２０、及びメモリ１４３０を含んでよく、プロセッサ１４１０、通信機１４２０、及びメモリ１４３０は、内部接続パスを用いて互いに通信する。図１０の処理ユニット１０１０により実装される関連機能は、プロセッサ１４１０により実装されてよく、通信機ユニット１０２０により実装される関連機能は、通信機１４２０により実装されてよい。
【０３５２】
プロセッサ１４１０は、１つ以上のプロセッサ、例えば１つ以上の中央処理ユニットＣＰＵを含んでよい。プロセッサが１つのＣＰＵであるとき、ＣＰＵは単一コアＣＰＵであってよく、又はマルチコアＣＰＵであってよい。
【０３５３】
通信機１４２０は、データ及び／又は信号を送信し、データ及び／又は信号を受信するよう構成される。通信機は、送信機及び受信機を含んでよい。送信機はデータ及び／又は信号を送信するよう構成され、受信機はデータ及び／又は信号を受信するよう構成される。
【０３５４】
メモリ１４３０は、限定ではないが、ＲＡＭ、ＲＯＭ、ＥＰＲＯＭ、又はＣＤ−ＲＯＭを含み、メモリ１４３０は、関連命令及び関連データを格納するよう構成される。
【０３５５】
メモリ１４３０は、端末装置のプログラムコード及びデータを格納するよう構成され、別個のコンポーネントであり又はプロセッサ１４１０に統合されてよい。
【０３５６】
具体的に、プロセッサ１４１０は、ネットワーク装置と共に参照信号の送信を実行するよう、例えばＳ３３０の一部を実行するよう、通信機を制御するよう構成される。詳細については、方法の実施形態における記載を参照し、詳細はここで再び記載されない。
【０３５７】
図１４は単に端末装置の簡略な設計を示すことが理解され得る。実際の適用では、端末装置は、限定ではないが、任意の数の通信機、プロセッサ、制御部、メモリ、等を含む他の必要な要素を更に別個に含んでよく、本願を実施可能な全ての端末装置は本願の保護範囲に含まれる。
【０３５８】
可能な設計では、送信機器１４００は、チップであってよく、例えば、端末装置内で使用され得る通信チップであってよく、端末装置内のプロセッサ１４１０の関連機能を実装するよう構成される。チップは、フィールドプログラマブルゲートアレイ、専用集積チップ、システムチップ、中央処理ユニット、ネットワークプロセッサ、デジタル信号処理回路、又は関連機能を実装するマイクロコントローラであってよく、又はプログラマブルコントローラ又は別の集積チップであってよい。任意で、チップは、プログラムコードを格納するよう構成される１つ以上のメモリを含んでよく、コードを実行すると、プロセッサは対応する機能を実施する。
【０３５９】
前述の実施形態の全部又は一部は、ソフトウェア、ハードウェア、ファームウェア又はそれらの任意の組み合わせを用いて実施されてよい。実施形態を実施するためにソフトウェアが使用されるとき、実施形態の全部又は一部は、コンピュータプログラムプロダクトの形式で実施されてよい。コンピュータプログラムプロダクトは、１又は複数のコンピュータ命令を含む。コンピュータプログラム命令がコンピュータ上にロードされ実行されると、本願の実施形態における手順又は機能が全部又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はコンピュータ可読記憶媒体を用いて送信されてよい。コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（digital  subscriber  line、DSL））又は無線（例えば赤外線、無線、マイクロ波）方式で送信されてよい。コンピュータ可読記憶媒体は、コンピュータ、又は１つ以上の使用可能媒体を統合するサーバ若しくはデータセンタのようなデータ記憶装置によりアクセス可能な任意の使用可能媒体であってよい。使用可能媒体は、磁気媒体（例えば、フロッピーディスク、ハードディスク、又は磁気テープ）、光媒体（例えば、デジタルバーサタイルディスク（digital  versatile  disc、DVD））、半導体媒体（例えば、固体ディスク（solid  state  disk、SSD））、等であってよい。
【０３６０】
当業者は、実施形態の中の方法の処理のうちの全部又は一部が関連するハードウェアに指示するコンピュータプログラムにより実施されてよいことを理解し得る。プログラムは、コンピュータ可読記憶媒体に格納されてよい。プログラムが実行すると、方法の実施形態の処理が実行されてよい。記憶媒体は、ROM、RAM、磁気ディスク又は光ディスクのような、プログラムコードを格納可能な任意の媒体を含む。
【０３６１】
当業者は、本願明細書に開示の実施形態を参照して記載された例におけるユニット及びアルゴリズムのステップが、電子ハードウェア又はコンピュータソフトウェア及び電子ハードウェアの組み合わせにより実施可能であることを認識し得る。機能がハードウェア又はソフトウェアにより実行されるかは、技術的ソリューションの特定の適用及び設計制約条件に依存する。当業者は、各々の特定の適用について記載の機能を実施するために異なる方法を使用し得るが、実装が本願の範囲を超えると考えられるべきではない。
【０３６２】
便宜上及び簡潔な説明のために、システム、機器、及びユニットの詳細な動作処理については、方法の実施形態における対応する処理を参照することが、当業者により明らかに理解され得る。詳細は、ここで再び記載されない。
【０３６３】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電気的、機械的又は他の形式で実装されてよい。
【０３６４】
別個の部分として記載されたユニットは、物理的に別個であってよく又はそうでなくてよい。また、ユニットとして表示された部分は、物理的なユニットであってよく又はそうでなくてよく、１カ所に置かれてよく或いは複数のネットワークユニットに分散されてよい。一部又は全部のユニットは、実施形態のソリューションの目的を達成するために実際の要件に基づき選択されてよい。
【０３６５】
さらに、本願の実施形態における機能ユニットは、１つの処理ユニットに統合されてよく、或いは各ユニットが物理的に単独で存在してよく、或いは２以上のユニットが１つのユニットに統合されてよい。
【０３６６】
機能がソフトウェア機能ユニットの形式で実装され、独立した製品として販売され又は使用されるとき、機能は、コンピュータ可読記憶媒体に格納されてよい。このような理解に基づき、本願の基本的技術的ソリューション、又は従来技術に貢献する部分、又は一部の技術的ソリューションは、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。記憶媒体は、ＵＳＢフラッシュドライブ、取り外し可能ハードディスク、ＲＯＭ、ＲＡＭ、磁気ディスク又は光ディスクのようなプログラムコードを格納可能な任意の媒体を含む。
【０３６７】
上述の説明は、本願の単なる特定の実装であり、本願の保護範囲を制限することを意図しない。本願に開示された技術範囲内にある、当業者により直ちに考案される任意の変形又は置換は、本願の保護範囲に包含されるべきである。したがって、本願の保護範囲は、請求項の保護範囲に従うべきである。
【図１】
0006928662.tif 000002
【図２】
0006928662.tif 000003
【図３】
0006928662.tif 000004
【図４】
0006928662.tif 000005
【図５】
0006928662.tif 000006
【図６】
0006928662.tif 000007
【図７】
0006928662.tif 000008
【図８】
0006928662.tif 000009
【図９】
0006928662.tif 000010
【図１０】
0006928662.tif 000011
【図１１】
0006928662.tif 000012
【図１２】
0006928662.tif 000013
【図１３】
0006928662.tif 000014
【図１４】
0006928662.tif 000015